(57)【要約】布地の保護、又は布地の洗浄及び保護の組み合わせのための洗濯物品、及びこうした物品の使用方法。異なる区画の中に選択された保護剤、又は一つの区画の中に選択された洗浄剤及び別の区画の中に選択された保護剤を含んでなる、選択された布地洗濯組成物と組み合わされた、複数区画の容器。複数区画の容器からの組成物を混合することにより、好ましい物品は布地保護の利益を有する重質液体洗濯洗剤を提供する。【特許請求の範囲】
【請求項１】
布地に布地保護の利益を提供するために用いる洗濯物品であって、
ａ）少なくとも二つの区画を有する容器と、
ｂ）少なくとも一つの区画の中にある布地保護組成物であって、布地柔軟仕上げ剤、繊維製品の色保護剤、繊維製品の特性変性剤、繊維製品の香気変性剤、及びこれらの混合物から成る群から選択される少なくとも一つの布地保護活性物質を有する布地保護組成物と
を含んでなる洗濯物品。
【請求項２】
布地に布地保護の利益に加えて、洗浄の利益を提供するために用いる、請求項１に記載の洗濯物品であって、
ｂ）第一の区画の中に前記布地保護組成物と、
ｃ）第二の区画の中にある布地洗浄組成物であって、少なくとも一つの布地洗浄剤を有する布地洗浄組成物と
を含んでなる洗濯物品。
【請求項３】
前記布地洗浄剤が洗浄性界面活性剤又は漂白剤ではない、請求項２に記載の洗濯物品。
【請求項４】
前記布地保護組成物が布地洗浄剤を更に含んでなる、請求項１〜３のいずれか一項に記載の洗濯物品。
【請求項５】
前記布地洗浄及び／又は布地保護組成物が液体の形態であり、好ましくは該液体の各々が、２０ｓ−１及び２０℃で測定して、約１ｃｐｓ〜約３０００ｃｐｓの範囲の粘度を有する、請求項１〜４のいずれか一項に記載の物品。
【請求項６】
前記布地柔軟仕上げ剤が、有機布地柔軟仕上げ剤、無機布地柔軟仕上げ剤、及びこれらの混合物、及び／又は有機−無機布地柔軟仕上げ剤混成物から成る群から選択される、請求項１〜５のいずれか一項に記載の物品。
【請求項７】
前記有機布地柔軟仕上げ剤が、エステル及び／又はアミド部分を含まない四級窒素含有有機布地柔軟仕上げ剤、エステル及び／又はアミド部分を含んでなる四級窒素含有有機布地柔軟仕上げ剤、四級窒素を含まない有機布地柔軟仕上げ剤、及びこれらの混合物から成る群から選択され、好ましくはエステル部分を含んでなる四級窒素含有有機布地柔軟仕上げ剤である、請求項６に記載の物品。
【請求項８】
前記無機布地柔軟仕上げ剤が、スメクタイト粘土、好ましくはヘクトライト粘土を含んでなる、請求項６に記載の物品。
【請求項９】
前記繊維製品の色保護剤が、染料固定剤、移染防止剤、色保持剤、増白剤、漂白剤捕捉剤及び／又は酸化防止剤を含む色褪せ防止剤、色外観修復剤［非キレート剤］、光沢修復剤、布地のためのＵＶ保護剤、日焼け色褪せ阻害剤、色褪せ防止剤、及びこれらの混合物から成る群から選択される、請求項１〜８のいずれか一項に記載の物品。
【請求項１０】
前記繊維製品の特性変性剤が、増ちょう剤、布地のドレープ及び型調整剤、滑らか剤、本質的に静電気制御能力を有する布地柔軟仕上げ剤以外の静電気制御剤、しわ制御及び／又はアイロン補助剤、仕上げ剤、布地保全剤、布地磨耗防止剤、布地損耗防止剤、湿潤剤、潤滑剤、毛玉除去剤、防虫剤、ダニ制御剤、非漂白布地殺菌剤、抗菌剤、抗ウイルス剤、抗カビ剤、難燃剤、及びこれらの混合物から成る群から選択される、請求項１〜９のいずれか一項に記載の物品。
【請求項１１】
前記繊維製品の香気変性剤が、香料、香気増強剤、悪臭抑制剤、及びこれらの混合物から成る群から選択される、請求項１〜１０のいずれか一項に記載の物品。
【請求項１２】
該香料が、プロ−パフューム、直接香料、又は香料キャリアと組み合わされた香料である、請求項１１に記載の物品。
【請求項１３】
前記布地洗浄及び／又は布地保護組成物が、安定剤及び／又は粘度変性剤を更に含んでなる、請求項１〜１２のいずれか一項に記載の物品。
【請求項１４】
第一及び第二の区画の組成物が、少なくとも一つの信号発生剤を更に含んでなり、該信号発生剤が前記組成物が有効に混合されたときに信号を発生する、請求項１〜１３のいずれか一項に記載の物品。
【請求項１５】
前記信号が、色の変化、体積の変化、粘度の変化、気泡又は泡の発生、香気の変化、温度の変化、又はこれらの組み合わせである、請求項１４に記載の物品。
【請求項１６】
前記容器と関連して、布地の洗浄及び／又は保護組成物の使用に関する一組の指示を更に含んでなり、好ましくは該指示が、組成物を分配する前に、組成物を混合し、組成物が有効に混合されたという信号を観察するようにという消費者への一つの指示を含んでなる、請求項１〜１５のいずれか一項に記載の物品。
【請求項１７】
洗濯溶液に少なくとも二つの布地保護活性物質、又は少なくとも一つの布地洗浄剤、及び少なくとも一つの布地保護活性物質を含有する均一な組成物を供給するための物品の使用であって、前記二つの布地保護活性物質又は前記布地洗浄剤及び／もしくは布地保護活性物質が、他方が存在すると不適合であるか又は部分的に不安定である、請求項１〜１６のいずれか一項に記載の物品の使用。
【請求項１８】
混合された組成物の中で、測定可能なほど減少された安定性を有するか又は不適合である剤から、布地保護の利益を提供するか又は高品質な布地洗浄及び布地保護の利益の両方を同時に提供する組成物を供給する方法であって、
ａ）少なくとも第一及び第二の区画から該組成物を、これらの組成物の有効な混合が達成される分配装置に導く工程と、
ｂ）続いて、混合された組成物を、布地を洗濯するのに用いる溶液の中に分配する工程と
を含む方法。
【請求項１９】
少なくとも第一及び第二の区画からの前記組成物の有効な混合が達成された場合に信号が発生され、該信号が、色の変化、体積の変化、粘度の変化、気泡又は泡の発生、香気の変化、温度の変化、又はこれらの組み合わせである、請求項１８に記載の方法。
【請求項２０】
前記混合された組成物が、消費者による前記信号の観察の後に洗濯溶液の中に分配される、請求項１９に記載の方法。
【請求項２１】
適合性の問題を解決すると同時に、消費者に洗濯製品における斬新な布地保護技術の存在を伝達する方法であって、
ａ）布地保護又は洗剤組成物において、測定可能なほど減少された安定性か又は乏しい適合性を有する、少なくとも一つの布地保護活性物質を選択し、
ｂ）布地に洗浄及び／又は布地保護の利益を提供するために用いる洗濯物品を提供し、
−複数の区画を有する容器と、
−第一の区画の中に、ａ）の布地保護活性物質を有する布地保護組成物と、
−第二の区画の中に必須洗浄剤を有する布地洗浄組成物、又は第二の区画の中に、ａ）におけるものとは別の布地保護活性物質を有する布地保護組成物と
を含んでなる工程と、
ｃ）前記物品の使用に関する、前記物品に関連した一組の指示を提供することを含んでなる方法。
【請求項２２】
洗濯操作において、消費者に二つの組成物を混合させ、該混合した組成物を用いる前に、混合が有効であったという信号を待つようにさせる工程を含んでなる、布地を洗濯するための、請求項１〜１６のいずれか一項に記載の物品を用いる方法。
【請求項２３】
請求項１〜１６のいずれか一項に記載の物品、並びに布地洗浄及び／又は布地保護組成物を混合し、該混合物を洗濯溶液に分配するための分配装置を含んでなる洗濯キット。
【発明の詳細な説明】
【０００１】
（発明の分野）
本発明は布地の保護のための洗濯物品及びその使用方法に関する。物品は選択された布地洗濯組成物と組み合わされた複数区画の容器を含んでなる。容器の一つの区画の中の少なくとも一つの組成物は、選択された必須布地保護活性物質を含んでなる。好ましくは、容器の別の区画の中の第二の組成物は、選択された布地洗浄剤を含んでなる。
【０００２】
（発明の背景）
幾つかの布地保護成分を単一包装に統合するために、又は界面活性剤のような布地洗浄成分と、（ｉｉ）飽和ジ−長鎖ジメチルアンモニウム四級型の布地柔軟仕上げ剤のような布地保護成分とを統合するために、長年の間努力がなされてきた。技術はこうした「一つの中に二つ」の製品を、いかにして製造するかを教示するもので溢れている。こうした製品は洗浄と布地柔軟仕上げの性能を妥協させる結果となる可能性があり、更に安定性又は適合性の問題を有する傾向がある。一方、こうした統合製品は安く製造され、安価な包装を伴う傾向がある。
【０００３】
本発明の分野は衣類を洗うこと、例えば、自動洗濯機内で衣類を洗うことに特に関するが、これに必ずしも関連しない特定の技術分野において、使用時点まで構成成分を分離しておくという反対方向を志向する研究もまた存在した。これは、例えば、コンタクトレンズクリーナーの分野に関する場合である。成分の分離は化学的に反応性のある物質を、混合して用いることが必要になるまで、互いに分離し保存するのに有用である。
【０００４】
一般にまた既知であるのは、毛髪を洗うこと、漂白すること、及び／又は染色することに関連して用いられるような、異なる種類の表面（例えば、毛髪）処置製品を含んでなるキットである。こうしたキットの一つの有用性は、たとえ組成物が独立して完結し有用である可能性があるとしても、消費者に特定の組成物を一緒に使用するように指示することである。
【０００５】
なお別の技術分野においては洗浄電気器具において開発がなされ、その中では例えば複数の、例えば４以上の別々の成分を、別々に保存することを伴う、卓越した投与システムを用いることができ、それにより複数の別々に保存された成分を洗浄に関連する目的のために必要とされる場合に混合することが可能になる。しかしながら、こうしたやり方は費用が掛かり、技術的な複雑さを生み出し、電気器具の信頼性の問題を生じる。更に消費者は、洗濯処理における特定の技術的利益を確保するために、洗濯機を、複雑で及び信頼できない投与システムを有する新しいものと置き換えるように強いられることを必ずしも望まない。
【０００６】
これらの開発のすべては、洗濯分野において技術的に、及び消費者の満足のために達成すべき多くのものを残している。例えば、現代の消費者は洗濯における新しい利益を確保するために、単純でなおかつ有効な方法を望むが、それは例えば（ａ）洗濯物の洗浄、及び（ｂ）斬新な、又は最新開発の布地保護成分、更に特には歴史的な非生分解性四級布地柔軟仕上げ剤とは異なる布地保護活性物質による洗濯物の処置という、両方を行う改善された能力である。その上、多くの消費者にとって衣類を洗濯することは基本的に煩わしい雑用である。こうした雑用をいや応なく果たさなければならない場合、消費者の楽しみ及び満足を増加させることは望ましいであろう。
【０００７】
これ以降に定義される新しい物品が有用であり、重要な技術的問題を解決する多くの状況が今や発見され、調査されてきた。
【０００８】
第一の様態又は状況では、複数区画の容器において特定の布地保護活性物質を分離すること、又は特定の布地保護活性物質を特定の布地洗浄剤と分離することは、保存安定性及び不適合性の理由から、予想外にも有利であることが見出される。異なる区画において異なるｐＨにより組成物を配合することは更に望ましく、これにより安定性要件に最も適するｐＨで、異なる布地保護活性物質を配合すること、又は布地を保護する活性物質を洗浄剤と共に配合することが可能になる。
【０００９】
別の様態又は状況では、消費者に二つの組成物を混合させ、洗濯機で混合した組成物を用いる前に、混合は有効であったという信号を待たせることは技術的に望ましいことが見出される。こうした信号は、本物品の状況において発見されたが、混合において起きる化学反応又は物理−化学の系変化、例えば、相の変化から導き出すことが可能である。
【００１０】
なお別の様態又は状況では、１成分組成物と関連して消費者を教育することが重要な問題であることが見出された。布地保護システム、又は混合された洗浄及び／もしくは布地保護システムのすべての成分が、単一容器に統合される場合、例えば洗浄及び保護システムの投与に関して、習慣を変えるように消費者を説得するのは困難であり、又は単一容器内に統合された組成物が、新しいかもしくは異なる洗浄及び／もしくは保護結果をどのように生み出し得るかを消費者に理解させるのさえ困難である。このように本発明の特定の実施形態では、成分、例えば幾つかの布地保護活性物質を互いに、又は幾つかの布地洗浄剤を幾つかの布地保護活性物質から分離するという基礎を成す主題が、根本的に不適合性がない場合でさえ存在し、それはその代わりに、消費者自身が役割を担う、組み合わせる又は混合するという動作手段により何が達成されるかという、新しく有用な指示を消費者に与えるために存在する。例えば、洗浄及び／又は布地保護のための異なる機能を有する、非反応性の成分を分離することにより、混合時に生じる信号事象の更なる存在の有無にかかわらず、消費者の受容及び理解が大幅に高められることを発見することは、驚くべきこと及び意外なことである。
【００１１】
なお別の様態及び状況では、安定性の促進以外の望ましい技術的現象が、最初は分離しておき、そして次に洗浄／保護の複数成分の組成物を使用の少し前、又は直前に混合することにより可能になる。こうした現象には動的混合効果、及び／又は成分の一時的又は動的相互作用が含まれると考えられている。動的現象は、平衡現象と比較して、洗濯洗浄力の分野においては開発されていない。
【００１２】
なお別の様態及び状況では、（ａ）布地保護活性物質及び／又は布地洗浄剤の技術的に動作可能な適合性又は不適合性と、（ｂ）信号システムとの間に非対称を取り入れられることが見出された。この様態では、必ずしも最適に安定ではない、又は共に適合性ではない成分（例えば、布地洗浄剤を含んでなる）の群が第一の区画に共に詰められ、同様に必ずしも最適に安定ではない、又は共に適合性ではない成分（例えば、布地保護活性物質を含んでなる）の別の群が第二の区画に共に詰められる。この様態において求められるのは、各区画における物質の最適な適合性ではなく、むしろ組成物が混合される場合に生じる信号（例えば、香気、色、相、温度変化などによる）の良好な有効性である。
【００１３】
（発明の概要）
第一の態様において、本発明は布地に布地保護の利益を提供するために用いる洗濯物品を包含し、該物品は、
ａ）少なくとも二つの区画（通常二つ）を有する容器と、
ｂ）少なくとも一つの区画の中にある布地保護組成物であって、布地柔軟仕上げ剤、繊維製品の色保護剤、繊維製品特性変性剤、繊維製品香気変性剤、及びこれらの混合物から成る群から選択される少なくとも一つの布地保護活性物質と
を含んでなる。
【００１４】
この洗濯物品は、こうした布地保護組成物が布地洗浄剤を更に含んでなる場合に、洗浄を更に提供することができる。
【００１５】
第二の態様において、本発明は布地に布地保護の利益に加えて、洗浄を提供するために用いる洗濯物品であって、該物品は、
ａ）少なくとも二つの区画（通常二つ）を有する容器と、
ｂ）第一の区画の中の布地保護組成物であって、該布地保護組成物が、布地柔軟仕上げ剤、繊維製品の色保護剤、繊維製品特性変性剤、繊維製品香気変性剤、及びこれらの混合物から成る群から選択される少なくとも一つの布地保護活性物質を有する組成物と、
ｃ）第二の区画の中にある、少なくとも一つの布地洗浄剤を有する布地洗浄組成物と
を含んでなる。
【００１６】
第三の態様において、本発明は布地に洗浄及び布地保護の利益を提供するために用いる洗濯物品を包含し、該物品は、
ａ）複数の区画（通常二つ）を有する容器と、
ｂ）第一の区画の中に、少なくとも一つの必須布地洗浄剤（本明細書下記の定義により、この成分は界面活性剤又は漂白剤以外の布地洗浄剤である）を有する布地洗浄組成物と、
ｃ）少なくとも一つの追加の区画の中にある、少なくとも一つの布地保護活性物質を有する布地保護組成物と
を含んでなる。
【００１７】
好ましい物品において、前記成分（ｂ）及び（ｃ）の各々は液体の形態である。好ましくは前記液体のいずれも、２０ｓ−１、及び２０℃で、１〜３０００、好ましくは１０〜１０００ｃｐｓの範囲の粘度を有する。液体布地洗浄及び／又は保護組成物は、実質的に等しい比率で用いられるべきであり、液体が実質的に同じ粘弾性特性を有することが更により好ましい。本明細書において参照された粘度の値は、プレート−プレート制御応力粘度計（ｐｌａｔｅ−ｐｌａｔｅ ｃｏｎｔｒｏｌｌｅｄ ｓｔｒｅｓｓ ｖｉｓｃｏｓｉｍｅｔｅｒ）、具体的にはカリメド（Ｃａｒｉｍｅｄ）ＣＳＬ２１００を用いて測定される。
【００１８】
異なる様態又は実施形態における本発明は、特定の選択された物品及び方法を提供することにより、技術的問題の一つ以上を解決し、及び／又は上で認識されたような、まだ応じられていない要求の一つ以上を実現する。本発明の態様、目的、特徴、及び利益は以下の開示から明らかになるであろう。本明細書におけるパーセンテージ、割合、及び比率はすべて、指示がない限り、重量を基準にする。本明細書において引用したすべての文書は参考として本明細書に組み入れる。
【００１９】
主題発明の特定の実施形態が記載されるが、本発明の精神及び範囲から逸脱することなく、本発明の変形や修正が可能であり、任意の及びすべてのこうした修正は本発明の範囲内である。
【００２０】
（詳細な説明）
洗濯物品
概要において述べたように、本発明は（ａ）複数区画を有する容器、（ｂ）特に定義された布地保護活性物質を含んでなる布地保護組成物、及び任意選択的に（ｃ）布地洗浄組成物を含んでなる洗濯物品に関する。
【００２１】
複数区画を有する容器
本明細書に用いるのに好適な複数区画を有する容器には一般に、二つ、三つ以上、通常は二つの区画を有するものが挙げられる。容器は２成分、又は複数成分液体洗濯洗剤の、複数の投与量を分配するのに特に好適なものである。こうした容器は、例えば、歯磨きチューブ、のりの取り出し容器、及び他の複数部分容器とは異なる。例えば、小さい２区画の歯磨きチューブ、又は化粧品のパッケージは本明細書の容器として用いるのには不適当である。本明細書の容器は洗濯機に不可欠なものとはまた異なり、即ち洗濯機と一体となった容器ではなく、ピストン、ポンプなどのような高価な部品を一般に伴わない。本発明の容器が単一のプラスチックから作られた壁を有する場合、好ましい容器は比較的堅い壁を有し、普通はポリエチレン、又は液体洗剤瓶に好適な同様のプラスチックから作られ、容器は支柱なしで立つ。例えば、柔軟性のある壁のワイン容器の場合のように、柔軟性のある壁は検討されてもよいが、しかしながらそのときは支柱を提供するためにボール紙構造のような比較的堅い外側構造が必要となる可能性がある。
【００２２】
極めて望ましい容器は、洗剤の少なくとも約５投与量〜約５０投与量、例えば、約１０投与量〜約３０投与量の保存ができる体積を有する。典型的な投与量体積は、全区画の合計から生じる体積の合計について、約１０ｍｌ〜約２００ｍｌである。区画の相対的寸法は異なってもよく、例えば、二重区画の実施においては、二つの等しい寸法の区画が用いられてもよいし、また区画が異なる寸法を有する実施形態も考察される。
【００２３】
特に有用な容器は、２０００年９月１５日出願の同時係属米国特許出願、米国特許出願第６０／２３３，８３８号；２０００年１０月３０日出願の米国特許出願第６０／２４４，３０７号；及び２００１年３月２３日出願の米国特許出願第６０／２７８，１２４号、及び２０００年５月５日出願の、同時係属、本発明の譲受人に譲渡された欧州特許出願、出願番号第００８７００９５．７号、題名「複数区画の容器（Ｍｕｌｔｉ Ｃｏｍｐａｒｔｍｅｎｔ Ｃｏｎｔａｉｎｅｒ）」に記載されている。同様に、１９９８年４月７日、チーズブロー・ポンズＵＳＡ社（Ｃｈｅｓｅｂｒｏｕｇｈ−Ｐｏｎｄ’ｓ ＵＳＡ Ｃｏ．）、コノプコ株式会社部門（Ｄｉｖｉｓｉｏｎ ｏｆ Ｃｏｎｏｐｃｏ， Ｉｎｃ．）に発行された、米国意匠特許第Ｄ３９３，２０２号に開示されているもののような他の容器もまた利益を得るために用いられてもよい。
【００２４】
本明細書に用いるのに有用な複数区画を有する容器は、複数区画からの最上部注入ができるように、消費者が容易に開けることができるスクリュー、プル、又はスナップキャップを最上部に有する型であることも可能である。あるいは本明細書に用いるのに有用な複数区画を有する容器は、底の近くに位置するプレスタップを有する型であることも可能であり、低価格のワイン容器にやや似ている。あるいは、また複数区画は同心円状に配置してもよい。
【００２５】
好ましい容器は支柱なしで立ち、組成物の分配のための開口部を有する。開口部は、例えば、最上部注入するために前記容器の上半部に、又は組成物の底部注入できるように前記容器の下半部に位置することが可能である。好ましい物品は、スクリューオン、スナップ、又はプルキャップのような任意の好適なキャップの、ベント型又は非ベント型設計のいずれかを含む。
【００２６】
別の好ましい実施形態において、本発明は物品を包含するが、その際その容器は混合された組成物を洗濯溶液又は洗濯槽に分配する前に、布地保護組成物の一部分又は布地洗浄及び布地保護組成物の一部分を混合する手段を有する。同様に本発明の物品が、区画からの組成物の流れを規制するために、各区画に付随した分配手段を有することは好ましい。なお更に、布地保護組成物、又は布地洗浄及び布地保護組成物が異なる粘弾性特性を有する場合に、異なる区画の分配手段が異なる速度で組成物の流れを規制し、比例する分配を可能にすることは望ましい。
【００２７】
布地保護組成物／必須布地保護活性物質
本発明の洗濯物品は、少なくとも一つの区画の中に布地保護組成物を含んでなり、その際前記布地保護組成物は、（Ｉ）布地柔軟仕上げ剤、（ＩＩ）繊維製品の色保護剤、（光学的光沢剤は本発明の目的において、布地洗浄剤として取り扱われるため、この成分には含まれないことに注意）、（ＩＩＩ）繊維製品特性変性剤、これから繊維製品香気変性剤は特に除外される、（ＩＶ）繊維製品香気変性剤、（Ｖ）（Ｉ）〜（ＩＶ）以外の布地保護活性物質、及び（ＶＩ）これらの混合物から成る群から選択される少なくとも一つの布地保護活性物質を含んでなる。布地保護組成物の布地保護活性物質は、好ましくは布地保護組成物の約０．００１重量％〜約８０重量％、より好ましくは約０．１重量％〜約４０重量％の濃度で存在する。好ましい布地保護活性物質は、カチオン性布地柔軟仕上げ剤、及びカチオン性シリコーンを含む。布地保護組成物は、布地保護機能を促進し、及び／又は消費者へのその魅力を高める、多数の他の添加物又は任意成分も含んでよい。
【００２８】
布地柔軟仕上げ剤（Ｉ）
好ましくは、布地保護組成物は前記布地柔軟仕上げ剤の少なくとも一つを含んでなり、その際前記布地柔軟仕上げ剤は、（Ａ）有機布地柔軟仕上げ剤、（Ｂ）無機布地柔軟仕上げ剤、例えば、粘土、好ましくはヘクトライト粘土、及び（Ｃ）これらの混合物、及び／又は有機−無機布地柔軟仕上げ剤混成物から成る群から選択される。本発明の物品の一つ以上の組成物に存在する場合は、布地柔軟仕上げ剤は組成物の約１重量％〜約３０重量％の量で用いられる。
【００２９】
布地保護活性物質として用いるための布地柔軟仕上げ剤の一つの好ましい群は、有機布地柔軟仕上げ剤（Ａ）であり、該有機布地柔軟仕上げ剤は、（ｉ）１９９９年１０月２２日に出願されたバーナバス（Ｂａｒｎａｂａｓ）らの国際公開第００／２４８５１号の６１頁より開示されるような、エステル及び／又はアミド部分を含まない四級窒素含有有機布地柔軟仕上げ剤；（ｉｉ）国際公開第００／２４８５１号の６２頁より記載されるような、エステル及び／又はアミド及び／又はオレフィン性不飽和部分を含む四級窒素含有有機布地柔軟仕上げ剤、好ましくはエステル部分を含む四級窒素含有有機布地柔軟仕上げ剤；（ｉｉｉ）国際公開第００／２４８５１号の７４頁より記載されるような、四級窒素を含まない有機布地柔軟仕上げ剤；及び（ｉｖ）これらの混合物から成る群から選択される。とりわけ上記（ｉｉ）型の有機布地柔軟仕上げ剤は、（ｉ）型の有機布地柔軟仕上げ剤より一般に好ましい。
【００３０】
本発明の物品に用いるのに好ましい無機布地柔軟仕上げ剤（Ｂ）は粘土であり、好ましくはスメクタイト粘土、より好ましくはヘクトライト粘土であり、無機布地柔軟仕上げ剤は、１９９６年７月１１日に出願されたコウバー（Ｃａｕｗｂｅｒｇｈｓ）らの国際公開第９７／０４０６５号の５頁より、及び欧州第３２８１８２号に開示されている。有機編成粘土のような有機−無機布地柔軟仕上げ剤混成物は、利益を得るために本発明の物品の中に用いられてもよいが、他の物質の中で特にオルガノシリコーン布地柔軟剤が含まれる。エレメンティス（Ｅｌｅｍｅｎｔｉｓ）より市販されているベントン（Ｂｅｎｔｏｎｅ）ＳＤ３は、これらの有機変性粘土の例である。
【００３１】
繊維製品色保護剤（ＩＩ）
布地保護活性物質の好ましい群は繊維製品色保護剤であり、染料固定剤、移染防止剤、色保持剤、増白剤、漂白剤捕捉剤及び／又は酸化防止剤を含む色褪せ防止剤、非キレート剤型の色外観修復剤（例えば、４３ｋＤエンドグルカナーゼであり、フミコーラ・インソレンス（Ｈｕｍｉｃｏｌａ ｉｎｓｏｌｅｎｓ）由来の、酵素ケアザイム（Ｃａｒｅｚｙｍｅ（登録商標））、セルラーゼ活性を示しデンマークのノボザイム（Ｎｏｖｏｚｙｍｅ）より市販されているＤＳＭ１８００）、光沢修復剤、例えば、塊形成防止剤（ａｎｔｉｅｎｃｒｕｓｔａｔｉｏｎ ａｇｅｎｔｓ）、布地のためのＵＶ保護剤、日焼け色褪せ阻害剤、色褪せ防止剤、及びこれらの混合物から成る群から選択される。こうした物質は当業者には周知であり、その記述は２０００年８月２２日にスミス（Ｓｍｉｔｈ）らに発行された米国特許第６，１０７，２７０号、及び２０００年２月１日に、本発明の譲受人プロクター・アンド・ギャンブル社（Ｐｒｏｃｔｅｒ ＆ Ｇａｍｂｌｅ Ｃｏｍｐａｎｙ）に譲渡された、ローレントップ（Ｌｅｕｒｅｎｔｏｐ）らの第６，０２０，３０２号に見出されるような特許文献で一般的である。
【００３２】
本明細書において用いる場合「繊維製品色保護剤」とは、現存する布地の色を主に保存し、その劣化を妨げることにより、洗濯された布地に色保護の利益を提供する物質を示す。「繊維製品色保護剤」とは、光学的光沢剤又は下記の他の洗浄剤を示すものであると理解されるべきではない。繊維製品色保護剤は、漂白剤及び界面活性剤に典型的であるような、一般的な洗浄効果を提供することは目的としない。本発明の物品の一つ以上の組成物に存在する場合は、繊維製品色保護剤は組成物の約０．１重量％〜約１０重量％の量で用いられる。
【００３３】
移染防止剤
ポリマー移染防止剤は、一緒に洗う布地への色物の布地からの染料の付着を防ぐために、本発明の組成物に通常組み入れられる。これらのポリマーは、布地から洗い出された浮遊性の染料を、その染料が洗濯中の他の物品に接触する機会を得る前に、複合化又は吸着する能力を有する。特に好適なポリマー移染防止剤は、ポリアミンＮ−オキシドポリマー、Ｎ−ビニルピロリドン及びＮ−ビニルイミダゾルのコポリマー、ポリビニルピロリドンポリマー、ポリビニルオキサゾリドン及びポリビニルイミダゾール又はこれらの混合物である。こうした物質は周知であり、一般に市販されている。好適なポリビニルピロリドン（ＰＶＰ）は、ＩＳＰコーポレーション（ＩＳＰ Ｃｏｒｐｏｒａｔｉｏｎ）（ニューヨーク州ニューヨーク及びカナダ、モントリオール市）より製品名ＰＶＰ　Ｋ−１５（分子量１０，０００）、ＰＶＰ　Ｋ−３０（平均分子量４０，０００）、ＰＶＰ　Ｋ−６０（平均分子量１６０，０００）、及びＰＶＰ　Ｋ−９０（平均分子量３６０，０００）として市販されている。ＢＡＳＦ社（ＢＡＳＦ Ｃｏｏｐｅｒａｔｉｏｎ）から市販されている他の好適なポリビニルピロリドンとしては、ソカラン（Ｓｏｋａｌａｎ）ＨＰ１６５及びソカランＨＰ１２が挙げられる。更にＰＶＰは、例えば、欧州特許出願２６２，８９７及び欧州特許出願２５６，６９６に記載されている。利益を得るために本発明の組成物に用いてもよい、他の好適なポリマー移染防止剤には、Ｎ−ビニルイミダゾールＮ−ビニルピロリドンポリマー（ＰＶＰＶＩ）が挙げられ、ＥＰ６３５，５６５、ＥＰ６３５，５６７、及び米国特許第５，８０４，５４３号に開示されている。加えて三次元の堅固な構造を有する幾つかの架橋ポリマーは、構造により又は膨張により形成された孔に染料を取り込むことができる。こうした架橋ポリマーは、米国特許第５，９１２，２２１号に記載されている。
【００３４】
染料固定剤
染料固着剤、「固定剤」、又は「固着剤」は周知で、市販されている物質であり、洗うことによる布地からの染料の損失を最小にすることにより、染色された布地の外観を向上させるように設計されている。この定義の範囲に当てはまらないものが、実施形態の一部では布地布地柔軟剤活性物質として役立つことができる成分である。アニオン性染料のための多くの固着剤はカチオン性であり、用法の条件でその場で形成される強い陽イオン電荷を有する、四級化窒素化合物又は窒素化合物に基づいている。固着剤はいくつかの供給元から多様な商品名で入手可能である。代表的な例には、クロスフィールド（Ｃｒｏｓｆｉｅｌｄ）よりのクロスカラー（ＣＲＯＳＣＯＬＯＲ）ＰＭＦ（１９８１年７月、コード番号７８９４）、及びクロスカラー（ＣＲＯＳＣＯＬＯＲ）ＮＯＦＦ（１９８８年１月コード番号８５４４）、サンド（Ｓａｎｄｏｚ）よりのインドソール（ＩＮＤＯＳＯＬ）Ｅ−５０（１９８４年２月２７日、参照番号６００８．３５．８４、ポリエチレンイミン主体）が挙げられ、サンド（Ｓａｎｄｏｚ）よりのサンドフィックス（ＳＡＮＤＯＦＩＸ）ＴＰＳは本明細書に用いるのに好ましい染料固定剤である。追加の非制限的な例には、サンド（Ｓａｎｄｏｚ）よりのサンドフィックス（ＳＡＮＤＯＦＩＸ）ＳＷＥ（カチオン性樹脂性化合物）が挙げられ、ＣＨＴ−バイトリッヒ社（ＣＨＴ−Ｂｅｉｔｌｉｃｈ ＧＭＢＨ）よりのレウイン（ＲＥＷＩＮ）ＳＲＦ、レウイン（ＲＥＷＩＮ）ＳＲＦ−Ｏ、及びレウイン（ＲＥＷＩＮ）ＤＷＲ、チバ−ガイギー（Ｃｉｂａ−Ｇｅｉｇｙ）よりのチノフィックス（Ｔｉｎｏｆｉｘ（登録商標））ＥＣＯ、チノフィックス（Ｔｉｎｏｆｉｘ（登録商標））ＦＲＤ、及びソルフィン（Ｓｏｌｆｉｎ（登録商標））が挙げられ、国際公開第９９／１４３０１号に記載されている。本発明の組成物に用いるのに好ましい他の固着剤は、クラリアント（Ｃｌａｒｉａｎｔ）よりのカルタフィックス（ＣＡＲＴＡＦＩＸ）ＣＢ（登録商標）、及び環状アミン主体のポリマー、オリゴマー、又はコポリマーであり、国際公開第９９／１４３００号に記載されている。本明細書に有用な他の固着剤は「繊維製品の布地への染料の固定を高める後処理（Ａｆｔｅｒｔｒｅａｔｍｅｎｔｓ ｆｏｒ Ｉｍｐｒｏｖｉｎｇ ｔｈｅ Ｆａｓｔｎｅｓｓ ｏｆ Ｄｙｅｓ ｏｎ Ｔｅｘｔｉｌｅ Ｆｉｂｒｅｓ）」クリストファーＣ．クック（Ｃｈｒｉｓｔｏｐｈｅｒ Ｃ． Ｃｏｏｋ）著、レビュー・プログ・カラーレーション（Ｒｅｖ． Ｐｒｏｇ． Ｃｏｌｏｒａｔｉｏｎ）ＸＩＩ巻（１９８２年）に記載されている。本発明で用いるのに好適な染料固着剤は、脂肪酸−ジアミン縮合物のようなアンモニウム化合物、とりわけ、ジアミンエステルのヒドロクロリド塩、アセテート塩、メトサルフェート塩、及びベンジルヒドロクロリド塩である。非限定的な例には、オレイルジエチルアミノエチルアミド、オレイルメチルジエチレンジアミンメトサルフェート、及びモノステアリルエチレンジアミノトリメチルアンモニウムメトサルフェートが挙げられる。加えて、界面活性剤活性Ｎ−酸化物以外のＮ−酸化物、更に特にはポリビニルピリジンＮ−酸化物のようなポリマーＮ−酸化物が、本明細書の固着剤として有用���ある。他の有用な固着剤には、ポリマーアルキルジアミンの誘導体、ポリアミン−塩化シアヌルの縮合物、及びアミノ化されたグリセロールジクロロヒドリンが挙げられる。
【００３５】
繊維製品特性変性剤（ＩＩＩ）
布地保護活性物質の別の好ましい群は、繊維製品特性変性剤（ＩＩＩ）であり、布地の増ちょう剤、布地のドレープ及び型調整剤、布地の滑らか剤、本質的に静電気制御能力を所有する布地柔軟仕上げ剤以外の静電気制御剤、布地のしわ制御剤及び／又はアイロン補助剤、仕上げ剤、布地保全剤、布地磨耗防止剤、布地損耗防止剤、湿潤剤及び／又は潤滑剤、毛玉除去剤、防虫剤、ダニ制御剤、非漂白布地殺菌剤、例えば、布地に直接の抗菌剤及び／又は抗ウイルス剤及び／又は抗カビ剤、難燃剤、及びこれらの混合物から成る群から選択される。「繊維製品特性変性剤」では、本明細書において別に取り扱われる香気変性剤を特に除外する。
【００３６】
シリコーンポリマー
シリコーンポリマー、特にポリジメチルシロキサン、及びその官能化された誘導体は、繊維製品特性変性剤として多数の布地保護の利益を提供することが周知である。それらは、主洗浄において用いるため洗濯洗剤に、すすぎ及び洗濯後の適用に用いるため布地柔軟仕上げ剤組成物に導入され得る。重質液体の中でのそれらの使用は、１９９７年２月１４日に出願されたツェン（Ｚｈｅｎ）らの国際公開第９７／３１９９７号、及び１９９７年２月１４日に出願されたツェン（Ｚｈｅｎ）らの国際公開第９７／３１９９８号に開示されており、それらの両方とも本発明の譲受人プロクター・アンド・ギャンブル社（Ｐｒｏｃｔｅｒ ＆ Ｇａｍｂｌｅ Ｃｏｍｐａｎｙ）に譲渡されている。本明細書に用いるのに好適なシリコーンポリマーは、一般的に、帯電又は非帯電、直鎖又は環状で、広範囲の分子量を有し、水溶性、非水溶性、又は水分散性であることが可能である。非帯電のポリジメチルシロキサンは、例えば、布地を柔軟にする組成物に用いられることが、２０００年５月８日に出願されたクラーク（Ｃｌａｒｋｅ）らの国際公開第００／７１８０６Ａ１号、及び２０００年５月８日に出願されたクラーク（Ｃｌａｒｋｅ）らの国際公開第００／７１８０７Ａ１号において開示されており、それらはレバー（Ｌｅｖｅｒ）に譲渡されている。更に本明細書に好適なシリコーンポリマーは、布地又は洗剤の成分もしくは布地の促進剤に対して反応性又は非反応性であり得る。それらはシリコーン技術の伝統的な意味において硬化可能又は硬化不可能であり得る。硬化可能ポリマーは、通常は官能化されたシリコーンポリマーであり、普通はポリジメチルシロキサンポリマーであり、ここで追加の有機官能基はポリマーの化学構造の中に導入される。こうした官能基を含んでなるシリコーンポリマーの例は、ポリアルキレンオキシド変性ポリシロキサン及びアミノ変性ポリシロキサン（ｐｏｌｙｌｓｉｌｏｘａｎｅｓ）である。シリコーンポリマーの別の種類は、直鎖アミノポリジメチルシロキサンポリアルキレンオキシドコポリマーであり、例えば、１９９７年３月４日に出願され、ウィットコ（Ｗｉｔｃｏ）に譲渡された、チェコ（Ｃｚｅｃｈ）の国際公開第９７／３２９１７号に開示されているものである。好ましいシリコーンポリマーは、少なくとも一つの四級化された窒素原子を含んでなるポリジメチルシロキサンポリマーのような、カチオン性シロキサンポリマーである。シリコーンポリマーがカチオン性である場合、いかなる好適なアニオン性対イオンも用いることができる。カチオン性シリコーンポリマーの特に好ましい種類は、多価カチオン性のシリコーンポリマーであり、国際公開第９９／３２５３９号（Ｐ＆Ｇ）に記載されている。特に好ましいのは一つ以上のポリシロキサン、好ましくはポリジメチルシロキサン単位、好ましくは二つ以上のこうした単位と一つ以上、好ましくは二つ以上の四級窒素部分を含んでなるカチオン性シリコーンポリマーであり、ここで後者の二つ以上の四級窒素部分は、好ましくは共有結合してオルガノシリコーン非含有部分、又は各オルガノシリコーン非含有部分が二つ以上の四級窒素原子を含んでなる部分を形成する。こうしたカチオン性シリコーンポリマーには、一つ以上のポリシロキサン単位、好ましくは式−｛（ＣＨ３）２ＳｉＯ｝ｎ−のポリジメチルシロキサン単位を含んでなるポリマーが挙げられ、重合度ｎは５０〜２００を有し、オルガノシリコーン非含有単位は少なくとも一つのジ四級（ｄｉｑｕａｔｅｒｎａｒｙ）単位を含んでなる。最も好ましくは選択されたカチオン性シリコーンポリマーは、Ｎ，Ｎ，Ｎ’，Ｎ’−テトラメチル−１，６−ヘキサジアンモニウム単位から選択された、前記オルガノシリコーン非含有単位の重量分率０．５０〜１．０を有する。
【００３７】
選択されたカチオン性シリコーンポリマーは、−ＮＨＣＨ（ＣＨ３）ＣＨ２Ｏ（ＡＯ）ａＣＨ２ＣＨ（ＣＨ３）ＮＨ−単位のオルガノシリコーン非含有単位の合計の重量分率０．０〜０．２０、幾つかの実施形態においては非ゼロ量を含有することもでき、式中、ＡＯはエチレンオキシ、プロピレンオキシ、ブチレンオキシ、及びこれらの混合物を表し、ａは５〜７０である。
【００３８】
選択されたカチオン性シリコーンポリマーは、−ＮＲ３＋のオルガノシリコーン非含有単位の合計を重量分率で０．０〜０．２０含有することもでき、式中、Ｒはアルキル、ヒドロキシアルキル、又はフェニルである。これらの単位は末端キャップとして考えられ得る。更に選択されたカチオン性シリコーンポリマーは、四級部分の電荷を釣り合わせるために、無機及び有機アニオンから選択される、より好ましくは飽和及び不飽和Ｃ１〜Ｃ２０カルボキシレート及びこれらの混合物から選択される、アニオンを一般に含有し、これによりカチオン性シリコーンポリマーは四級電荷釣平衡比例にあるこうしたアニオンも含んでなる。
【００３９】
好ましいカチオン性シリコーンポリマーの本選択においてまた興味があるのは、四級窒素が「直鎖」ポリマーの「主鎖」に優先的に位置していることであり、これは代わりの構造、及び四級窒素が「主鎖」からの「ペンダント」又は「ダングリング」構造を形成する部分又は複数の部分に組み入れられている、それほど好ましくない構造とは対照的である。構造は末端部分により完成され、この末端部分は非荷電であることができ、又は荷電している場合は、−ＮＲ３＋のように、ただ一つの四級窒素原子を含んでなることができ、式中、Ｒはアルキルである。更に特定の比率の非四級シリコーン非含有部分、例えば、上記の−ＮＨＣＨ（ＣＨ３）ＣＨ２Ｏ（ＡＯ）ａＣＨ２ＣＨ（ＣＨ３）ＮＨ−部分が存在し得る。
【００４０】
カチオン性シリコーンポリマーの別の特に好ましい種類は、一つ以上のポリシロキサン単位、好ましくは式−｛（ＣＨ３）２ＳｉＯ｝ｎ−のポリジメチルシロキサン単位であって、重合度ｎは５０〜２００を有するもの、及び少なくとも一つのジ四級（ｄｉｑｕａｔｅｒｎａｒｙ）単位を含んでなるオルガノシリコーン非含有単位を含んでなるものであり、これは２００１年２月１２日、プロクター・アンド・ギャンブル社（Ｐｒｏｃｔｅｒ ＆ Ｇａｍｂｌｅ Ｃｏｍｐａｎｙ）により出願された、同時係属特許出願、米国特許出願第６０／２６８１７４号の１０〜１７頁に記載されている。好ましいカチオン性シリコーンは、出願されたこうした特許出願の米国出願番号第６０／２６８１７４号の１３頁２２行〜１５頁１８行の構造２ｂのものである。より好ましいのは、構造２を有する実施例１に記載されたカチオン性シリコーンであって、Ｒ１＝メチル、Ｒ２＝（ＣＨ２）３、Ｘ＝ＣＨ２ＣＨＯＨＣＨ２であり、カチオン性の二価の部分ｉｉ（ａ）は、Ｒ４、Ｒ５、Ｒ６、Ｒ７がすべてメチルであり、Ｚ１が（ＣＨ２）６である。重量基準で、Ａ＝５０％アセテート、５０％ラウレート、構造２のポリアルキレンオキシド部分（ｉｉｉ）は、ＮＨＣＨ（ＣＨ３）ＣＨ２Ｏ（Ｃ２Ｈ４Ｏ）３８（Ｃ３Ｈ６Ｏ）６ＣＨ２ＣＨ（ＣＨ３）ＮＨであり、構造２のカチオン性一価の部分ｉｖ．（ａ）は、Ｒ１２、Ｒ１３、及びＲ１４がすべてメチルであり、ａ＝０、ｂ＝１、ｃ＝１５０、ｄ＝０、ｍ＝２である。
【００４１】
商業目的のために既知であるか又は利用可能でない場合は、カチオン性シリコーンポリマーは従来技術により調製され得る。
【００４２】
本発明の物品の一つ以上の組成物に存在する場合は、繊維製品特性変性剤は組成物の約０．１重量％〜約１０重量％の量で用いられる。
【００４３】
磨耗防止−布地保全剤
好適な繊維製品色保護剤には、ジエチレントリアミンとアジピン酸の反応生成物であるポリアミド−ポリアミンのエピクロロヒドリン付加物を含んでなるポリアミド−ポリアミン物質が挙げられる。これらの物質を用いる利益には、これらの物質で処置した布地の全体的外観の向上、毛玉／毛羽立ちの減少、及び布地の色褪せ防止が挙げられる。こうした物質はハーキュレス社（Ｈｅｒｃｕｌｅｓ， Ｉｎｃ）により、キメン（Ｋｙｍｅｎｅ）５５７Ｈ（登録商標）及びキメン（Ｋｙｍｅｎｅ）５５７ＬＸ（登録商標）のように、商品名キメン（Ｋｙｍｅｎｅ（登録商標））として市販されている。他の好適な物質にはハーキュレス社（Ｈｅｒｃｕｌｅｓ， Ｉｎｃ）によりまた市販されているレタン（Ｒｅｔｅｎ（登録商標））及びデルセッテ（Ｄｅｌｓｅｔｔｅ（登録商標））、並びにサンド（Ｓａｎｄｏｚ）により商品名カルタレチン（Ｃａｒｔａｒｅｔｉｎ（登録商標））として市販されている物質が挙げられる。
【００４４】
磨耗防止ポリマーは利益を得るため本発明の組成物中にまた用いてもよく、以下の式を有する水溶性ポリマーである：
［−Ｐ（Ｄ）ｍ−］ｎ
式中、単位Ｐはホモポリマー性又はコポリマー性の単位を含むポリマー主鎖である。Ｄ単位は以下に定義される。用語「ホモポリマー性」は「同一単位組成物を有する単位から構成されるポリマー主鎖であり、即ち同一モノマーの重合から形成されるもの」として定義される。用語「コポリマー性」は「異なる単位組成物を有する単位から構成されるポリマー主鎖であり、即ち二種以上のモノマーの重合から形成されるもの」として定義される。
【００４５】
Ｐ主鎖は、好ましくは次式を有する単位を含んでなる：
【化１】
2004509218.tif 000002
式中、各Ｒ単位は独立して水素原子、Ｃ１〜Ｃ１２アルキル、Ｃ６〜Ｃ１２アリールであり、Ｄ単位は以下で定義される通りであり、好ましくはＣ１〜Ｃ４アルキルである。
【００４６】
各Ｌ単位は独立してヘテロ原子含有部分から選択され、その非限定的な例は、
【化２】
2004509218.tif 000003
次の式を有するポリシロキサン：
【化３】
2004509218.tif 000004
移染防止活性を有する単位：
【化４】
2004509218.tif 000005
及びこれらの混合物からなる群から選択され、式中、Ｒ１は水素、Ｃ１〜Ｃ１２アルキル、Ｃ６〜Ｃ１２アリール、及びこれらの混合物である。Ｒ２はＣ１〜Ｃ１２のアルキル、Ｃ１〜Ｃ１２のアルコキシ、Ｃ６〜Ｃ１２のアリールオキシ、及びこれらの混合物であり、好ましくはメチル及びメトキシである。Ｒ３は、水素、Ｃ１〜Ｃ４アルキル、Ｃ６〜Ｃ１２アリール、及びこれらの混合物、好ましくは水素又はＣ１〜Ｃ４アルキル、より好ましくは水素である。Ｒ４はＣ１〜Ｃ１２アルキル、Ｃ６〜Ｃ１２アリール、及びこれらの混合物である。
【００４７】
布地磨耗減少ポリマーの主鎖は、移染防止利益を提供する一つ以上の単位を含んでなる単位であるＤ単位を一つ以上含んでなる。Ｄ単位は主鎖自体の一部であることができ、一般式
［−Ｐ（Ｄ）ｍ−］ｎ
で表わされるか、又はＤ単位は、例えば、式
【化５】
2004509218.tif 000006
を有する主鎖単位へのペンダント基として主鎖中に組み入れられてもよい。しかしながら、Ｄ単位の数は処方に依存する。例えば、Ｄ単位の数は、布地磨耗減少特性を有するポリマーを提供しながら、ポリマーの水溶解度及び移染防止効果を提供するように調整されるであろう。本発明の布地磨耗減少ポリマーの分子量は約５００、好ましくは約１，０００から、さらに好ましくは約１００，０００から、最も好ましくは１６０，０００〜約６，０００，０００、好ましくは約２，０００，０００まで、さらに好ましくは約１，０００，０００まで、さらに一層好ましくは約５００，０００まで、最も好ましくは約３６０，０００ダルトンまでである。従って、指数ｎの値は、示された分子量を提供するように選択され、本明細書では２５℃として定義される外界温度の水にて最低１００ｐｐｍ、好ましくは少なくとも約３００ｐｐｍ、さらに好ましくは少なくとも約１，０００ｐｐｍの水溶解度を提供する。
【００４８】
好ましいＤ単位の非限定的な例は、アミド部分を含んでなる単位である。アミド単位がペンダント基を介してポリマーに導入されるポリマーの例には、ポリビニルピロリドン、ポリビニルオキサゾリドン、ポリビニルメチルオキサゾリドン、ポリアクリルアミド及びＮ−置換ポリアクリルアミド、ポリメタクリルアミド及びＮ−置換ポリメタクリルアミド、ポリＮ−アクリルグリシンアミド、ポリＮ−メタクリルグリシンアミド、及びポリビニルウレタンが挙げられる。移染防止部分の窒素がポリマー主鎖に組み入れられるＤ単位の例は、次式を有するポリ（２−エチル−２−オキサゾリン）であり、
【化６】
2004509218.tif 000007
式中、指数ｎは存在するモノマー残基の数を表わす。本発明で有用な布地磨耗減少ポリマーは移染防止単位の任意の混合物を含んでなることができ、好適な特性を有する製品を提供する。アミド部分であるＤ単位を含んでなる好ましいポリマーは、高度に置換されたアミド単位の窒素原子を有するものであり、そのため窒素原子は周囲の非極性基により事実上いろいろな度合いで遮断される。これはポリマーに両親媒性特性を提供する。非限定的な例としては、ポリビニルピロリドン類、ポリビニルオキサゾリドン類、Ｎ，Ｎ−二置換ポリアクリルアミド類、及びＮ，Ｎ−二置換ポリメタクリルアミド類が挙げられる。これらのポリマーのいくつかに関する物理化学的特性の詳細な説明は、「水溶性合成ポリマー：特性及び性質（Ｗａｔｅｒ−Ｓｏｌｕｂｌｅ Ｓｙｎｔｈｅｔｉｃ Ｐｏｌｙｍｅｒｓ：Ｐｒｏｐｅｒｔｉｅｓ ａｎｄ Ｂｅｈａｖｉｏｒ）」フィリップ・モリニュックス（Ｐｈｉｌｉｐ Ｍｏｌｙｎｅｕｘ）、１巻、ＣＲＣプレス（ＣＲＣ Ｐｒｅｓｓ）（１９８３年）に与えられており、これは参照として本明細書に含まれる。
【００４９】
本明細書に記載された布地磨耗減少ポリマーに移染防止の強化を提供する別のＤ単位は、Ｎ−オキシド単位である。Ｎ−オキシド単位は、ポリアミン、即ちポリアルキレンアミン主鎖のようなポリマーの一部であってよく、又はＮ−オキシドは、ポリマー主鎖に結合したペンダント基の一部であってよい。ポリマー主鎖の一部としてＮ−オキシド単位を含んでなるポリマーの例は、ポリエチレンイミンＮ−オキシドである。Ｎ−オキシド部分を含んでなり得る基の非限定的な例としては、特定の複素環類、なかでもピリジン、ピロール、イミダゾール、ピラゾール、ピラジン、ピリミジン、ピリダジン、ピペリジン、ピロリジン、ピロリドン、アゾリジン、モルホリンのＮ−オキシドが挙げられる。好ましいポリマーはポリ（４−ビニルピリジンＮ−オキシド、ＰＶＮＯ）である。加えて、Ｎ−オキシド単位は環、例えば、アニリンオキシドにペンダント結合してもよい。
【００５０】
移染防止利益を有する布地磨耗減少ポリマーであるポリマーの更なる例は、上述された通りアミド単位及びＮ−オキシド単位の両方を含んでなるポリマーである。非限定的な例としては、第一のモノマーがアミド単位を含んでなり、第二のモノマーがＮ−オキシド単位を含んでなる二種のモノマーのコポリマーが挙げられる。加えて、これらの単位を含んでなるオリゴマー又はブロックポリマーを一緒にして、混合アミド／Ｎ−オキシドポリマーを形成することができる。しかしながら、得られたポリマーは本明細書で上述された水溶解度必要条件を保持しなければならない。
【００５１】
本発明の組成物に有用な磨耗防止ポリマーの追加の記述は、１９９７年１２月９日に出願された、ランドール（Ｒａｎｄａｌｌ）らの国際公開第９８／２９５３０号に開示されている。また好ましいのは、プロクター・アンド・ギャンブル社（Ｐｒｏｃｔｅｒ ＆ Ｇａｍｂｌｅ Ｃｏｍｐａｎｙ）への国際公開第００／５６８４８号の１２〜１３頁に記載されているように、カチオン性に変性されたポリアクリルアミドである。
【００５２】
繊維製品香気変性剤（ＩＶ）
他の好ましい布地保護活性物質は、香料（好ましくはプロ−パフューム（ｐｒｏ−ｐｅｒｆｕｍｅ）、及び／又は直接香料、及び／又は香料キャリアと組み合わされた香料）、香気増強剤、悪臭抑制剤、及びこれらの混合物を含んでなる繊維製品香気変性剤である。本発明の物品の一つ以上の組成物に存在する場合は、繊維製品香気変性剤は組成物の約０．１重量％〜約１０重量％の量で用いられる。
【００５３】
香料
プロ−パフューム（ｐｒｏ−ｐｅｒｆｕｍｅ）は、布地上の悪臭をマスキングするために布地保護組成物において有用である。プロ−パフューム（ｐｒｏ−ｐｅｒｆｕｍｅ）は、化学結合が解裂することによって所望の香り及び／又は香料分子を放出する香料前駆体として定義される。一般的に、プロ−パフューム（ｐｒｏ−ｐｅｒｆｕｍｅ）を形成するためには、所望の香料原料を、キャリア、好ましくはわずかに揮発性又は中程度に揮発性のキャリアと化学的に連結させる。この組み合わせは結果として、布地上への付着が改善された、それほど揮発性ではなく、より疎水性のプロ−パフューム（ｐｒｏ−ｐｅｒｆｕｍｅ）となる。次に、香料は、保管又は自然乾燥中のｐＨの変化（例えば、着用中の蒸散）、空気の湿度、熱、及び／又は日光のいずれかを通しての香料原料とキャリアの結合を破断することで放出される。ゆえに、悪臭は香料原料の放出によって有効にマスキングされる。
【００５４】
プロ−パフューム（ｐｒｏ−ｐｅｒｆｕｍｅ）に使用される香料原料は、通常、アルコール、アルデヒド、及び／又はケトン基を含有する飽和又は不飽和の揮発性化合物である。本明細書に有用な香料原料としては、芳香性物質又は以下を包含する物質の混合物が挙げられ、それは天然（即ち、花、薬草、葉、根、樹皮、木、樹花、又は植物の抽出により得られる物質）、人工（即ち、異なる天然油又は油構成要素の混合物）、及び合成（即ち、合成により製造されたもの）の香気性物質である。香料原料（類）は多くの場合、固定剤、展延剤、安定剤、及び溶媒のような補助物質を伴う。これらの補助剤はまた本明細書に使用する場合、「香料」の意味に含まれる。一般に、香料は複数の有機化合物の複雑な混合物である。
【００５５】
本明細書で有用な好ましい香料前駆体は、１９９５年１月３日にスフィス（Ｓｕｆｆｉｓ）らに発行された米国特許第５，３７８，４６８号の７〜１４欄、及び１９９７年７月２９日にハートマン（Ｈａｒｔｍａｎ）らに発行された米国特許第５，６５２，２０５号に記載されている。
【００５６】
悪臭抑制剤
本明細書において有用な悪臭抑制剤は、シクロデキストリン、アンモニウム抗菌剤、及びこれらの混合物を含んでなる。以下に特に指定のない限り、本発明の組成物は約０．０５重量％〜約１５重量％の悪臭抑制剤を含んでなる。
【００５７】
用語「シクロデキストリン」はあらゆる既知のシクロデキストリンを含み、それは、例えば、６〜１２個のグルコース単位を含有する非置換のシクロデキストリン、特にα−シクロデキストリン、β−シクロデキストリン、γ−シクロデキストリン、これらの誘導体、及びこれらの混合物であり、これは国際公開第９６／０４９４０号の９〜１２頁に詳細に記載されている。本発明の組成物に特に有用なシクロデキストリンは、α−シクロデキストリン及びその誘導体、γ−シクロデキストリン及びその誘導体、誘導体化されたβ−シクロデキストリン、及びこれらの混合物のように、水溶性が高い。更にシクロデキストリンの混合物を使用することも好ましい。かかる混合物は、より幅広い範囲の分子サイズを有するより幅広い範囲の有臭分子と錯体化することによって、より幅広く香気を吸収する。さらに、すすぎ液中での衣服へのシクロデキストリンの付着を促進するため、溶解性の劣るシクロデキストリン又はかかるシクロデキストリンを含有する混合物を使用することも好ましい。
【００５８】
水溶性の高いシクロデキストリンとは、水への溶解度が室温で１００ｍｌ中の水に少なくとも約１０ｇ、好ましくは１００ｍｌ中の水に少なくとも約２０ｇ、更に好ましくは室温で１００ｍｌ中の水に少なくとも約２５ｇであるシクロデキストリンである。可溶化非錯体型のシクロデキストリンの存在が、有効及び効率的な香気抑制性能に必須である。可溶化された、水溶性シクロデキストリンは、布地に沈着すると非水溶性シクロデキストリンよりも更に効率的な香気制御性能を示すことができる。本明細書での使用に好適な好ましい水溶性シクロデキストリン誘導体の例は、ヒドロキシプロピルα−シクロデキストリン、メチル化α−シクロデキストリン、メチル化β−シクロデキストリン、ヒドロキシエチルβ−シクロデキストリン、及びヒドロキシプロピルβ−シクロデキストリンである。ヒドロキシアルキルシクロデキストリン誘導体は、好ましくは約１〜約１４、さらに好ましくは約１．５〜約７の置換度を有し、シクロデキストリン当りのＯＲ基の総数が、置換度として定義される。メチル化シクロデキストリン誘導体は、一般的に約１〜約１８、好ましくは約３〜約１６の置換度を有する。既知のメチル化β−シクロデキストリンは、一般にＤＩＭＥＢとして知られるヘプタキス−２，６−ジ−オー−メチル−β−シクロデキストリンであり、各グルコース単位は、約１４の置換度と共に約２のメチル基を有する。好ましく、さらに市販されているメチル化β−シクロデキストリンは、普通約１２．６の異なった置換度を有する、一般にＲＡＭＥＢとして知られる、ランダムにメチル化されたβ−シクロデキストリンである。ＤＩＭＥＢは、好ましい界面活性剤の表面活性にＲＡＭＥＢよりも大きく影響するので、ＲＡＭＥＢの方がＤＩＭＥＢよりも好ましい。好ましいシクロデキストリンは、例えば、セレスターＵＳＡ社（Ｃｅｒｅｓｔａｒ ＵＳＡ， Ｉｎｃ）及びワッカーケミカルズ（ＷａｃｋｅｒＣｈｅｍｉｃａｌｓ）社（米国）から市販されている。
【００５９】
シクロデキストリン誘導体は、主にＯＨ基のいくつかがＯＲ基に変換された分子から成る。シクロデキストリン誘導体に関する詳細は、「シクロデキストリンの最小の化学修飾による最適性能（Ｏｐｔｉｍａｌ Ｐｅｒｆｏｒｍａｎｃｅｓ ｗｉｔｈ Ｍｉｎｉｍａｌ Ｃｈｅｍｉｃａｌ Ｍｏｄｉｆｉｃａｔｉｏｎ ｏｆ Ｃｙｃｌｏｄｅｘｔｒｉｎｓ）」Ｆ．ディーデイニー−ピラード（Ｆ． Ｄｉｅｄａｉｎｉ−Ｐｉｌａｒｄ）及びＢ．パーリー（Ｂ． Ｐｅｒｌｙ）、第７回国際シクロデキストリンシンポジウム要約（Ｔｈｅ ７ｔｈ Ｉｎｔｅｒｎａｔｉｏｎａｌ Ｃｙｃｌｏｄｅｘｔｒｉｎ Ｓｙｍｐｏｓｉｕｍ Ａｂｓｔｒａｃｔｓ）、１９９４年４月、４９頁に見出されるであろうが、該参考文献は参照として本明細書に組み入れられる。その他のシクロデキストリン誘導体は、米国特許第３，４２６，０１１号、同第３，４５３，２５７号、同第３，４５３，２５８号、同第３，４５３，２５９号、同第３，４５３，２６０号、同第３，４５９，７３１号、同第３，５５３，１９１号、同第３，５６５，８８７号、４，５３５，１５２号、同第４，６１６，００８号、同第４，６７８，５９８号、同第４，６３８，０５８号、及び同第４，７４６，７３４．号に開示されている。
【００６０】
悪臭抑制剤は、四級アンモニウム抗菌剤も含んでよい。本明細書において有用な四級アンモニウム抗菌剤は、通常、布地物品の表面もしくは繊維の中に存在する微生物を殺すか、又はそうでない場合は微生物の成長を妨げる。細菌及び菌類のような微生物は、悪臭の重大な原因となる可能性がある。多くの種類の抗菌剤が利用可能であるが、本明細書において有用な抗菌剤は以下の要件：ｉ）安全であること、及び通常人間の皮膚に対して拒絶反応を起こさないこと；ｉｉ）付着がほんの限られた量である場合を考慮して、低投与量においても有効であること；及びｉｉｉ）通常は負に荷電している布地の相互作用によっても、残りの殺菌効果を提供するため、長時間維持可能であることを満たす必要がある。
【００６１】
多くの強力な抗菌剤は、負荷電表面との相互作用によって抗菌効力が失われ、又は減少した抗菌効果を有することが頻繁に観察されている。一般的には、正に荷電した高疎水性を有する抗菌剤は、高付着効力を有する。正に荷電した、長い疎水性側鎖のある四級アミン（アルキル又は環含有のいずれか）は、本発明の組成物の抗菌剤として特に有用である。この好ましい四級アンモニウム抗菌剤の一般構造は、
【化７】
2004509218.tif 000008
式中、Ｒ１〜Ｒ４は独立して、Ｃ１〜Ｃ２２アルキル基から選択され、Ｘは負に荷電した基であり、これは好ましくはハロゲン、酢酸、又は他の小さい負イオンから成る群から選択される。Ｒ１〜Ｒ４基の一つは、Ｃ１０より長い鎖長を有する。好ましくは、Ｒ３及びＲ４が長鎖アルキル基（例えば、Ｃ１０〜Ｃ１８）であるとき、Ｒ１及びＲ２は双方ともメチルである。より好ましくは、Ｒ１及びＲ２は双方ともメチルであって、Ｒ３及びＲ４は、Ｃ１０アルキル鎖であって、この抗菌剤はジデシルジメチルアンモニウムとして既知である。ジデシルジメチルアンモニウムクロリドは、バーダック（ＢＡＲＤＡＣ（登録商標））として、米国、ニュージャージー州、フェアロー（Ｆａｉｒ Ｌａｗ）のロンザ社（Ｌｏｎｚａ Ｉｎｃ．）から入手可能である。
【００６２】
バーダック（ＢＡＲＤＡＣ（登録商標））の式は以下である：
【化８】
2004509218.tif 000009
本明細書で有用なその他の極めて好ましい第四級アンモニウム抗菌剤は、ベンザルコニウム（Ｒ１及びＲ２が双方ともメチルであって、Ｒ３はメチルベンジルであって、Ｒ４は−（ＣＨ２）ｎ−ＣＨ３であって、式中、ｎは１２〜１８である）、又はこれらの混合物であって、下記の式を有するベンザルコニウムクロリド等である。好ましくは、ｎは１２〜１８である。
【化９】
2004509218.tif 000010
【００６３】
布地洗浄組成物／必須布地洗浄剤
任意選択的に本発明の洗濯物品は、少なくとも一つの布地洗浄剤を有する布地洗浄組成物を更に含んでなることができる。前記布地洗浄剤は、界面活性剤、ビルダー、洗浄酵素、漂白剤システム、光学的光沢剤、蛍光増白剤、キレート剤又は隔離剤、ビルダー、アルカリ剤、汚れ懸濁剤、汚れ放出剤、耐汚染剤などのような洗濯洗浄用途に一般に用いられる、任意の好適な剤であり得る。好適な界面活性剤及び漂白剤成分はこれ以降に記述する。好ましくは布地洗浄剤は、より良好な安定性を達成するために、分配の前には別の区画に保持される。
【００６４】
別の実施形態において、本発明の布地洗浄組成物は、界面活性剤又は漂白剤を唯一の布地洗浄剤としては含まない。この場合本発明の布地洗浄組成物成分に用いる必須布地洗浄剤は、この必須洗浄剤が界面活性剤又は漂白剤ではないという条件で、布地に好適な洗浄剤として定義される。必須洗浄剤は界面活性剤又は漂白剤から選択されないであろうが、本明細書に記述された一つ以上の必須布地洗浄剤に加えて、界面活性剤（類）及び／又は漂白剤が布地洗浄組成物中に存在する可能性のあることが予想される。
【００６５】
洗浄効果を有するいかなる酵素も用いることができるが、本明細書において定義される「布地洗浄剤」の好適な例には、洗浄性洗浄酵素、特にアミラーゼ、プロテアーゼ、及びリパーゼのような他の加水分解酵素が挙げられる。本明細書において定義される他の「布地洗浄剤」には、光学的光沢剤、蛍光増白剤、キレート剤又は隔離剤、ビルダー（特にカルシウム及び／又はマグネシウムを制御するためのもの）、アルカリ剤、汚れ懸濁剤、汚れ放出剤、耐汚染剤などが挙げられる。こうした洗浄剤は、洗剤組成物に関する特許文献、例えば、２０００年８月１５日にホール（Ｈａｌｌ）らに発行された米国特許第６，１０３，６８５号、及び２０００年９月５日にツネツグ（Ｔｓｕｎｅｔｓｕｇｕ）らに発行された第６，１１３，６５５号に詳細に記述されており、これらは本発明の譲受人プロクター・アンド・ギャンブル社（Ｐｒｏｃｔｅｒ ＆ Ｇａｍｂｌｅ Ｃｏｍｐａｎｙ）に譲渡されている。好ましい必須洗浄剤は、プロテアーゼ及びアミラーゼ酵素、ホスホネートキレート剤、及びクエン酸ビルダーである。
【００６６】
必須洗浄剤又はこうした必須洗浄剤の混合物の好適な総濃度は、本発明の布地洗浄組成物構成成分の、約０．０００１重量％〜約８０重量％である。これらの成分は、好ましくはその通常の重質液体洗剤濃度において用いられ、例えば、「界面活性剤科学シリーズ（Ｓｕｒｆａｃｔａｎｔ Ｓｃｉｅｎｃｅ Ｓｅｒｉｅｓ）」マーセル・デッカー（Ｍａｒｃｅｌ Ｄｅｋｋｅｒ）、ニューヨーク、重質液体洗剤に関する種々の巻に開示された成分及び濃度を参照のこと。
【００６７】
酵素
必須布地洗浄剤として用いるのに好適な酵素には、他の布地洗浄の利益の中で特に、タンパク質主体、炭水化物主体、又はトリグリセリド主体の染みを繊維製品から除去する、洗濯中の居場所を失った染料の付着を防止し、布地修復を提供する酵素が挙げられる。好適な酵素には、野菜、動物、細菌、真菌、及び酵母起源物質のような、任意の好適な起源物質からの、セルラーゼ、プロテアーゼ、アミラーゼ、リパーゼ、セルラーゼ、ペルオキシダーゼ、及びこれらの混合物が挙げられる。好ましい選択は、ｐＨ−活性及び／又は安定性の最適条件、熱安定性などのような因子によって影響される。この点に関して、細菌又は真菌の酵素、例えば、細菌のアミラーゼ類及びプロテアーゼ類、並びに真菌のセルラーゼ類が好ましい。
【００６８】
好適なプロテアーゼはサブチリシンであり、バシラス・ズブチルス（Ｂ． ｓｕｂｔｉｌｉｓ）、バシラス・リケニホルミス（Ｂ． ｌｉｃｈｅｎｉｆｏｒｍｉｓ）、及びバシラス・アミロリクエファシエンス（Ｂ． ａｍｙｌｏｌｉｑｕｅｆａｃｉｅｎｓ）（サブチリシンＢＰＮ及びＢＰＮ’）、バシラス・アルカロフィラス（Ｂ． ａｌｃａｌｏｐｈｉｌｕｓ）、及びバシラス・レンタス（Ｂ． ｌｅｎｔｕｓ）の特定の株から得られる。好適なバシラスプロテアーゼは、ｐＨ８〜１２において最高活性を有するエスペラーゼ（Ｅｓｐｅｒｅａｓｅ（登録商標））であり、ノボザイムズ（Ｎｏｖｏｚｙｍｅｓ）より販売され、その類似体と共にＧＢ１，２４３，７８４に記載されている。他の好適なプロテアーゼには、ノボザイムズ（Ｎｏｖｏｚｙｍｅｓ）のアルカラーゼ（Ａｌｃａｌａｓｅ（登録商標））、エヴェラーゼ（Ｅｖｅｒｌａｓｅ（登録商標））、及びサヴィナーゼ（Ｓａｖｉｎａｓｅ（登録商標））が挙げられる。タンパク分解酵素は、修飾された細菌性セリンプロテアーゼをまた包含するが、これは、例えばＥＰ２５１，４４６（特に１７、２４及び９８頁）に記載され、「プロテアーゼＢ」と呼ばれているもの、及び修飾された酵素を「プロテアーゼＡ」と呼んでいるＥＰ１９９，４０４に記載されたものである。また好適なものは「プロテアーゼＣ」と呼ばれる酵素であり、これはバシラスからのアルカリ性セリンプロテアーゼの変異型である（国際公開第９１／０６６３７号）。「プロテアーゼＤ」と呼ばれる好ましいプロテアーゼは、天然には見出せないアミノ酸配列を有するカルボニル加水分解酵素変異型であり、国際公開第９５／１０５９１号及び国際公開第９５／１０５９２号に記載されている。好ましいプロテアーゼは、１０３及び７６の位置に対応する位置にアミノ酸残基の置換を含んでなる、多重置換プロテアーゼ変異型であり、またバシラス・アミロリクエファシエンス（Ｂ． ａｍｙｌｏｌｉｑｕｅｆａｃｉｅｎｓ）サブチリシンの２７、９９、１０１、１０４、１０７、１０９、１２３、１２８、１６６、２０４、２０６、２１０、２１６、２１７、２１８、２２２、２６０、２６５、又は２７４の位置に対応するアミノ酸残基の位置以外の、一つ以上のアミノ酸残基の位置における、アミノ酸残基の置換がある。国際公開第９９／２０７２３号、第９９／２０７２６号、第９９／２０７２７号、第９９／２０７６９号、第９９／２０７７０号、及び第９９／２０７７１号は好適なプロテアーゼも記載し、好ましい変異型はＢＰＮ’の番号付けにより、１０１／１０３／１０４／１５９／２３２／２３６／２４５／２４８／２５２、より好ましくは１０１Ｇ／１０３Ａ／１０４Ｉ／１５９Ｄ／２３２Ｖ／２３６Ｈ／２４５Ｒ／２４８Ｄ／２５２Ｋ／に設定されたアミノ酸置換を有する。
【００６９】
アミラーゼ（α及び／又はβ）は炭水化物主体の汚れの除去のために含まれ得る。好適なアミラーゼは、国際公開第９４／０２５９７号、及び第９５／１０６０３号（両方ともノボザイムズ（Ｎｏｖｏｚｙｍｅｓ））に記載されている。国際公開第９５／２６３９７号は、他の好適なアミラーゼ：２５℃〜５５℃の温度範囲及びｐＨの値が８〜１０の範囲で、ファデバス（Ｐｈａｄｅｂａｓ（登録商標））ａ−アミラーゼ活性測定法で測定して、ターマミル（Ｔｅｒｍａｍｙｌ（登録商標））の比活性よりも、少なくとも２５％高い比活性を有することを特徴とするａ−アミラーゼを記載している。上記の酵素の好適な変異型は、国際公開第９６／２３８７３号（ノボザイムズ（Ｎｏｖｏｚｙｍｅｓ））に記載されている。市販されているａ−アミラーゼ製品の例は、ゲネンコール（Ｇｅｎｅｎｃｏｒ）のピュラフェクトＯｘ　Ａｍ（Ｐｕｒａｆｅｃｔ Ｏｘ Ａｍ（登録商標））、及びノボザイムズ（Ｎｏｖｏｚｙｍｅｓ）からすべて入手可能であるターマミル（Ｔｅｒｍａｍｙｌ（登録商標））、バン（Ｂａｎ（登録商標））、フンガミル（Ｆｕｎｇａｍｙｌ（登録商標））、及びデュラミル（Ｄｕｒａｍｙｌ（登録商標））である。
【００７０】
好適なセルラーゼには細菌及び真菌セルラーゼの両方が含まれ、好ましくはｐＨの最適条件が５〜１２である。例は、フミコーラ・インソレンス（フミコーラ・グリーシア変異型サーモイディア）（Ｈｕｍｉｃｏｌａ ｉｎｓｏｌｅｎｓ（Ｈｕｍｉｃｏｌａ ｇｒｉｓｅａ ｖａｒ． ｔｈｅｒｍｏｉｄｅａ）の株、特にフミコーラ（Ｈｕｍｉｃｏｌａ）株ＤＳＭ１８００より生成されるセルラーゼである。他の好適なセルラーゼは、分子量約５０ＫＤａ、等電点５．５を有し、４１５アミノ酸を含有するフミコーラ・インソレンス（Ｈｕｍｉｃｏｌａ ｉｎｓｏｌｅｎｓ）を起源とするセルラーゼであり、好ましいエンドグルカナーゼ成分は、国際公開第９１／１７２４３号に開示されたアミノ酸配列を有する。また好適なセルラーゼは、トリコデルマ・ロンギプラチアタム（Ｔｒｉｃｈｏｄｅｒｍａ ｌｏｎｇｉｂｒａｃｈｉａｔｕｍ）よりのＥＧＩＩＩセルラーゼである（国際公開第９４／２１８０１号、ゲネンコール（Ｇｅｎｅｎｃｏｒ））。特に好適なセルラーゼは、ＥＰ４９５，２５７に記載されたような色保護の利益を有するセルラーゼである。ノボザイムズ（Ｎｏｖｏｚｙｍｅｓ）より市販されているセルザイム（Ｃｅｌｌｕｚｙｍｅ（登録商標））は、特に有用である。布地の保護及び／又は洗浄特性のために好適なその他のセルラーゼは、国際公開第９６／３４０９２号、第９６／１７９９４号、第９５／２４４７１号、第９１／１７２４４号、及び第９１／２１８０１号に記載されている。
【００７１】
好適なリパーゼには、Ｐ．スタツェリ（Ｐ． ｓｔｕｔｚｅｒｉ）ＡＴＣＣ１９．１５４（ＧＢ１，３７２，０３４）のようなシュードモナス属により生成されるものが挙げられる。好適なリパーゼには、蛍光性シュードモナスリパーゼＡＭ１０５７の抗体とのポジティブな免疫学的交叉反応を示すものが挙げられ、日本の天野製薬株式会社（Ａｍａｎｏ Ｐｈａｒｍａｃｅｕｔｉｃａｌ Ｃｏ． Ｌｔｄ）より、商品名「リパーゼＰアマノ（Ｌｉｐａｓｅ Ｐ Ａｍａｎｏ）」として入手可能である。他の好適な市販のリパーゼには、アマノ−ＣＥＳ（Ａｍａｎｏ−ＣＥＳ）、クロモバクテル・ヴィスコサム（Ｃｈｒｏｍｏｂａｃｔｅｒ ｖｉｓｃｏｓｕｍ）、例えば、日本田方の東洋醸造株式会社よりのクロモバクテル・ヴィスコサム（Ｃｈｒｏｍｏｂａｃｔｅｒ ｖｉｓｃｏｓｕｍ）変異型リポリチカム（ｌｉｐｏｌｙｔｉｃｕｍ）ＮＲＲＬＢ３６７３よりのリパーゼ、米国のＵ．Ｓ．バイオケミカル社（Ｕ．Ｓ． Ｂｉｏｃｈｅｍｉｃａｌ Ｃｏｒｐ．）、及びオランダのディゾインス社（Ｄｉｓｏｙｎｔｈ Ｃｏ．）よりのクロモバクテル・ヴィスコサム（Ｃｈｒｏｍｏｂａｃｔｅｒ ｖｉｓｃｏｓｕｍ）リパーゼ、及びシュードモナス・グラジオリ（Ｐｓｅｕｄｏｍｏｎａｓ ｇｌａｄｉｏｌｉ）よりのリパーゼが挙げられる。特に好適なのは、シュードモナス・シュードアルカリジェネス（Ｐｓｅｕｄｏｍｏｎａｓ ｐｓｅｕｄｏａｌｃａｌｉｇｅｎｅｓ）（ＥＰ２１８，２７２）、又はその変異型（国際公開第９４／２５５７８号）から生成されるリパーゼであり、ギスト−ブロケーズ（Ｇｉｓｔ−Ｂｒｏｃａｄｅｓ）によりＭ１リパーゼ（Ｍ１ Ｌｉｐａｓｅ（登録商標））として、及びリポマックス（Ｌｉｐｏｍａｘ（登録商標））（ギスト−ブロケーズ（Ｇｉｓｔ−Ｂｒｏｃａｄｅｓ））として既に供給されている。好ましいリパーゼは、ノボザイムズ（Ｎｏｖｏｚｙｍｅｓ）よりのリポラーゼ（Ｌｉｐｏｌａｓｅ（登録商標））及びリポラーゼウルトラ（Ｌｉｐｏｌａｓｅ Ｕｌｔｒａ（登録商標））である。また好適なものは、ＥＰ２５８，０６８、ＥＰ９４３，６７８、国際公開第９２／０５２４９号、第９５／２２６１５号、第９９／４２５６６号、第２０００６００６３号（すべてノボザイムズ（Ｎｏｖｏｚｙｍｅｓ）による）、及びユニリーバ（Ｕｎｉｌｅｖｅｒ）による国際公開第９４／０３５７８号、第９５／３５３８１号、及び第９６／００２９２号に記載された酵素である。
【００７２】
また好適なのはクチナーゼ［ＥＣ３．１．１．５０］であり、界面活性化を必要としないリパーゼとして考えられている。好適なクチナーゼは、国際公開第８８／０９３６７号（ゲネンコール（Ｇｅｎｅｎｃｏｒ））；第９０／０９４４６号（プラント・ジェネティック・システム（Ｐｌａｎｔ Ｇｅｎｅｔｉｃ Ｓｙｓｔｅｍ））；第９４／１４９６３号及び第９４／１４９６４号（ユニレバー（Ｕｎｉｌｅｖｅｒ））、及び第００／３４４５６０号（ノボザイムズ（Ｎｏｖｏｚｙｍｅｓ））に記載されている。
【００７３】
また好適なのは漂白酵素であり、以下のデンプン分解酵素：シクロマルトデキストリングルカノトランスフェラーゼ「ＣＧＴａｓｅ」（Ｅ．Ｃ．２．４．１．１９）、マルトジェニックαアミラーゼ（Ｅ．Ｃ．３．２．１．１３３）、及びアミログロコシダーゼ（Ｅ．Ｃ．３．２．１．３）；及び以下のカルボヒドラーゼ：マンナーゼ（Ｅ．Ｃ．３．２．１．７８）、プロトペクチナーゼ、ポリガラクツロナーゼ（Ｅ．Ｃ．３．２．１．１５）、ペクチンリアーゼ（Ｅ．Ｃ．４．２．２．１０）、ペクチンエステラーゼ（Ｅ．Ｃ．３．１．１．１１）、ペクターテリアーゼ（ｐｅｃｔａｔｅ ｌｙａｓｅ）（Ｅ．Ｃ．４．２．２．２）、及びキシログルカナーゼである。
【００７４】
光学的光沢剤
本発明の必須洗浄剤として用いてもよい市販の光学的光沢剤は、必ずしも限定はしないが、スチルベンの誘導体、ピラゾリン、クマリン、カルボン酸、メチンシアニン、ジベンゾチオフェン（ｄｉｂｅｎｚｏｔｈｉｐｈｅｎｅ）−５，５−ジオキシド、アゾール、５−及び６−員の複素環、及びその他の剤を含むサブグループに分類することができる。かかる光沢剤の例は、Ｍ．ザラディニック（Ｚａｈｒａｄｎｉｋ）著、「蛍光光沢剤の製造及び適用（Ｔｈｅ Ｐｒｏｄｕｃｔｉｏｎ ａｎｄ Ａｐｐｌｉｃａｔｉｏｎ ｏｆ Ｆｌｕｏｒｅｓｃｅｎｔ Ｂｒｉｇｈｔｅｎｉｎｇ Ａｇｅｎｔｓ）」（ニューヨーク、ジョン・ウイリー＆サンズ（Ｊｏｈｎ Ｗｉｌｅｙ ＆ Ｓｏｎｓ）により出版、１９８２年）に開示されている。
【００７５】
本発明の組成物で有用な光学的光沢剤の具体例は、１９８８年１２月１３日にウィクソン（Ｗｉｘｏｎ）に発行された、米国特許第４，７９０，８５６号で認められたものである。このような光沢剤には、ベロナ（Ｖｅｒｏｎａ）のフォルホワイト（ＰＨＯＲＷＨＩＴＥ）シリーズの光沢剤が挙げられる。この引用文献で開示されるその他の光沢剤には、チノパール（Ｔｉｎｏｐａｌ）ＵＮＰＡ、チノパールＣＢＳ及びチノパール５ＢＭ；チバ−ガイギー（Ｃｉｂａ−Ｇｅｉｇｙ）から入手可能なもの；イタリアにあるハミルトンデービス（Ｈｉｌｔｏｎ−Ｄａｖｉｓ）から入手可能なアーチックホワイト（Ａｒｔｉｃ Ｗｈｉｔｅ）ＣＣ及びアーチックホワイトＣＷＤ；２−（４−ストリル−フェニル）−２Ｈ−ナフトール［１，２−ｄ］トリアゾール類；４，４’−ビス−（１，２，３−トリアゾール−２−イル）−スチル−ベン類；４，４’−ビス（ストリル）ビスフェニル類；及びアミノクマリン類が挙げられる。このような光沢剤の具体例には、４−メチル−７−ジエチルアミノクマリン；１，２−ビス（−ベンズイミダゾール−２−イル）エチレン；１，３−ジフェニル−フラゾリン類；２，５−ビス（ベンゾキサゾール−２−イル）チオフェン；２−ストリル−ナフト−［１，２−ｄ］オキサゾール；及び２−（スチルベン−４−イル）−２Ｈ−ナフト−［１，２−ｄ］トリアゾールが挙げられる。米国特許第３，６４６，０１５号（１９７２年２月２９日、ハミルトン（Ｈａｍｉｌｔｏｎ）に発行）を参照のこと。アニオン性光沢剤が本明細書では好ましい。
【００７６】
さらに具体的には、本発明で有用な親水性の光学的光沢剤は、次の構造式を有するものである：
【化１０】
2004509218.tif 000011
式中、Ｒ１は、アニリノ、Ｎ−２−ビス−ヒドロキシエチル及びＮＨ−２−ヒドロキシエチルから選択され；Ｒ２は、Ｎ−２−ビス−ヒドロキシエチル、Ｎ−２−ヒドロキシエチル−Ｎ−メチルアミノ、モルフィリノ、クロロ及びアミノから選択され；Ｍは、ナトリウム又はカリウムのような塩を形成する陽イオンである。この構造を有する市販の光沢剤は、チバ−ガイギー社（Ｃｉｂａ−Ｇｅｉｇｙ Ｃｏｒｐｏｒａｔｉｏｎ）から商品名チノパール−ＵＮＰＡ−ＧＸ（Ｔｉｎｏｐａｌ−ＵＮＰＡ−ＧＸ（登録商標））、チノパール−ＵＮＰＡ−ＧＸ（Ｔｉｎｏｐａｌ−ＵＮＰＡ−ＧＸ）、チノパール−５ＢＭ−ＧＸ（Ｔｉｎｏｐａｌ−５ＢＭ−ＧＸ（登録商標））、及びチノパール−ＡＭＳ−ＧＸ（Ｔｉｎｏｐａｌ−ＡＭＳ−ＧＸ（登録商標））として入手可能である。
【００７７】
キレート剤
より具体的には、必須布地洗浄剤として働くであろうキレート剤には、一つ以上の銅及び／又はニッケルキレート試薬（「キレート化剤」）、例えば、ジエチレントリアミン五酢酸（ＤＴＰＡ）又はエチレンジアミン−Ｎ，Ｎ’−二コハク酸（ＥＤＤＳ）を挙げることができる。水溶性キレート試薬は、アミノカルボキシレート、アミノホスホネート、多官能基置換型芳香族キレート試薬、及びこれらの混合物から成る群から選択することができ、すべて以下に定義され、好ましくは全て酸性形態である。本明細書においてキレート試薬として有用であるアミノカルボキシレートとしては、エチレンジアミンテトラ酢酸（ＥＤＴＡ）、Ｎ−ヒドロキシエチルエチレンジアミントリアセテート、ニトリロトリアセテート（ＮＴＡ）、エチレンジアミンテトラプロピオネート、エチレンジアミン−Ｎ，Ｎ’−ジグルタメート、２−ヒドロキシプロピレンジアミン−Ｎ，Ｎ’−ジスクシネート、トリエチレンテトラアミンヘキサアセテート、ジエチレントリアミンペンタアセテート（ＤＴＰＡ）、及びエタノールジグリシンが挙げられ、それらの水溶性塩、例えば、アルカリ金属、アンモニウム、及び置換アンモニウム塩、及びこれらの混合物を含む。アミノホスホネートも好適であり、エチレンジアミンテトラキス（メチレンホスホネート）、ジエチレントリアミン−Ｎ，Ｎ，Ｎ’，Ｎ’’，Ｎ’’−ペンタキス（メタンホスホネート）（ＤＴＭＰ）、及び１−ヒドロキシエタン−１，１−ジホスホネート（ＨＥＤＰ）を含むことができる。本明細書で有用な好ましいキレート化剤には、１９９７年１１月１１日にロシェ（Ｒｕｓｃｈｅ）らに発行された米国特許第５，６８６，３７６号に記載されたものが挙げられ、この全ては参考文献として本明細書に含まれる。
【００７８】
キレート剤は、組成物の約０．００１重量％〜約１０重量％の範囲で布地洗浄組成物中に存在する。より好ましいキレート剤は、組成物の約０．０１重量％〜約５重量％の範囲、最も好ましくは約０．０１重量％〜約３重量％の範囲で存在する。キレート剤もまた利益を得るため、本発明の布地保護組成物にも同様に用いられもよい。
【００７９】
汚れ懸濁及び汚れ放出剤
必須洗浄剤はまた一つ以上の汚れ放出、再付着防止、及び耐汚染剤を含んでなってもよい。
【００８０】
好適な汚れ放出剤は、エチレンテレフタレート及びポリエチレンオキシド（ＰＥＯ）テレフタレートのランダムブロックを有するポリマー、より好ましくはコポリマーを含む。かかるコポリマー及びその使用の記述は、米国特許第３，９５９，２３０号（１９７６年５月２５日、ヘイズ（Ｈａｙｓ）に発行）及び米国特許第３，８９３，９２９号（１９７５年７月８日、バサダー（Ｂａｓａｄｕｒ）に発行）に提供されている。また好適なのは、平均分子量約３００〜約６，０００のポリオキシエチレングリコールに由来する、約１０重量％〜約５０重量％のポリオキシエチレンテレフタレート単位と共に、約１０重量％〜約１５重量％のエチレンテレフタレート単位を含有するエチレンテレフタレートのくり返し単位を有する、結晶化可能なポリエステルである。かかる結晶化可能なポリマー化合物のエチレンテレフタレート単位対ポリオキシエチレンテレフタレート単位のモル比は、２：１〜６：１である。このポリマーの例には、市販の物質、ゼルコン（Ｚｅｌｃｏｎ）４７８０（登録商標）、ゼルコン（Ｚｅｌｃｏｎ）５１２６（登録商標）（デュポン（Ｄｕｐｏｎｔ）から）、及びミリーズＴ（ＭｉｌｅａｓｅＴ）（登録商標）（ＩＣＩから）が挙げられる。米国特許第４，７０２，８５７号（１９８７年１０月２７日発行、ゴスリンク（Ｇｏｓｓｅｌｉｎｋ））も参照のこと。
【００８１】
極めて好ましい汚れ放出剤は、以下の一般式のポリマーであり、
【化１１】
2004509218.tif 000012
式中、Ｘは通常、Ｈ、及び約１〜約４の炭素原子を含有するアルキル又はアシル基から成る群から選択され、ｐは水溶解度に関して選択され、一般に約６〜約１１３、好ましくは約２０〜約５０であり、ｕは比較的高いイオン強度を有する液体組成物における配合に対して重要である。ｕが１０を超える物質はほとんどないはずである。さらに、ｕが約３〜約５の範囲である物質は少なくとも２０％、好ましくは少なくとも４０％とすべきである。Ｒ１４部分は、完全に１，４−フェニレン部分から成る、本質的に１，４−フェニレン部分であるか、又は他のアリーレン又はアルカリーレン部分、アルキレン部分、アルケニレン部分、又はその混合物で部分的に置換されている。Ｒ１５部分はエチレン、置換されたエチレン部分、及びこれらの混合物である。各ｎに関する値は、通常約１２〜約１１３の範囲である。
【００８２】
ポリ（ビニルエステル）疎水性セグメントを特徴とする汚れ放出剤には、ポリ（ビニルエステル）のグラフトコポリマー類、例えば、Ｃ１〜Ｃ６ビニルエステル類、好ましくは、ポリエチレンオキシド主鎖のようなポリアルキレンオキシド主鎖にグラフトされたポリ（ビニルアセテート）が挙げられる。欧州特許出願第０２１９０４８号（１９８７年４月２２日公開、クド（Ｋｕｄ）ら）を参照のこと。
【００８３】
市販されているこの種の汚れ放出剤には、ソカラン（ＳＯＫＡＬＡＮ）型の物質、例えば、ＢＡＳＦ（ドイツ）より入手可能なソカランＨＰ−２２（ＳＯＫＡＬＡＮ ＨＰ−２２）が挙げられる。更に別の好ましい汚れ放出剤は、テレフタロイル、スルホイソテレフタロイル、オキシエチレンオキシ、及びオキシ−１，２−プロピレンのくり返し単位を有するオリゴマーである。くり返し単位はオリゴマーの主鎖を形成し、好ましくは修飾されたイセチオネートの末端キャップで終了する。前記汚れ放出剤は、オリゴマーの約０．５重量％〜約２０重量％の、好ましくはキシレンスルホネート、クメンスルホネート、トルエンスルホネート、及びこれらの混合物から成る群より選択される結晶低減安定剤も含んでなる。
【００８４】
本発明で有用なポリマー汚れ放出剤は、ヒドロキシエーテルセルロース性ポリマーなどのようなセルロース性誘導体も含み得る。こうした剤は市販されており、商品名メトセル（ＭＥＴＨＯＣＥＬ）（ダウ（Ｄｏｗ））として販売されている物質を含む。本明細書で使用するためのセルロース性汚れ放出剤には、Ｃ１〜Ｃ４のアルキル、及びＣ４ヒドロキシアルキルセルロースから成る群より選択されるものも挙げられ、これは１９７６年１２月２８日にニコル（Ｎｉｃｏｌ）らに発行された、米国特許第４，０００，０９３号に記載されている。
【００８５】
本発明の必須洗浄剤はまた、水溶性エトキシル化アミン、最も好ましくはエトキシル化テトラエチレンペンタミンのような汚れ放出及び再付着防止剤を含んでなってもよい。代表的なエトキシル化アミンは、１９８６年７月１日に発行されたヴァンダーミーア（ＶａｎｄｅｒＭｅｅｒ）の米国特許第４，５９７，８９８号に更に記載されている。好ましい粘土汚れ除去−再付着防止剤は、カチオン性化合物であり、１９８４年６月２７日に公開された、オウ（Ｏｈ）及びゴッセリンク（Ｇｏｓｓｅｌｉｎｋ）の欧州特許出願第１１１，９６５号に開示されている。使用できる他の粘土汚れ除去／再付着防止剤には、１９８４年６月２７日に公開されたゴッセリンク（Ｇｏｓｓｅｌｉｎｋ）の欧州特許出願第１１１，９８４号に開示されているエトキシル化アミンポリマー、１９８４年７月４日に公開されたゴッセリンク（Ｇｏｓｓｅｌｉｎｋ）の欧州特許出願第１１２，５９２号に開示されている双性イオン性ポリマー、及び１９８５年１０月２２日に発行されたコナー（Ｃｏｎｎｏｒ）の米国特許第４，５４８，７４４号に開示されているアミンオキシドが挙げられる。カルボキシメチルセルロース（ＣＭＣ）物質のような、当該技術分野において既知の他の再付着防止剤もまた本発明の組成物に利用することができる。
【００８６】
汚れ放出剤のさらに完全な開示は、米国特許第４，０１８，５６９号（１９８９年４月４日、トリン（Ｔｒｉｎｈ）、ゴッセリンク（Ｇｏｓｓｅｌｉｎｋ）、及びラッティンガー（Ｒａｔｔｉｎｇｅｒ）に発行）；同第４，６６１，２６７号（１９７８年４月２８日、デッカー（Ｄｅｃｋｅｒ）、コイング（Ｋｏｎｉｇ）、ストラトホフ（Ｓｔｒａａｔｈｏｆ）、及びゴッセリンク（Ｇｏｓｓｅｌｉｎｋ）に発行）；同第４，７０２，８５７号（１９８７年１０月２７日、ゴッセリンク（Ｇｏｓｓｅｌｉｎｋ）に発行）；同第４，７１１，７３０号（１９８７年１２月８日、ゴッセリンク（Ｇｏｓｓｅｌｉｎｋ）及びディール（Ｄｉｅｈｌ）に発行）；同第４、７４９、５９６号（１９８８年６月７日、エバンス（Ｅｖａｎｓ）、ハンチントン（Ｈｕｎｔｉｎｇｔｏｎ）、スチュワート（Ｓｔｅｗａｒｔ）、ウルフ（Ｗｏｌｆ）、及びジマーラー（Ｚｉｍｍｅｒｅｒ）に発行）；同第４，８０８，０８６号（１９８９年２月２４日、エバンス（Ｅｖａｎｓ）、ハンチントン（Ｈｕｎｔｉｎｇｔｏｎ）、スチュワート（Ｓｔｅｗａｒｔ）、ウルフ（Ｗｏｌｆ）、及びジマーラー（Ｚｉｍｍｅｒｅｒ）に発行）；同第４，８１８，５６９号（１９８９年４月４日、トリン（Ｔｒｉｎｈ）、ゴッセリンク（Ｇｏｓｓｅｌｉｎｋ）、及びラッティンガー（Ｒａｔｔｉｎｇｅｒ）に発行）；同第４，８７７，８９６号（１９８９年１０月３１日、マルドナド（Ｍａｌｄｏｎａｄｏ）、トリン（Ｔｒｉｎｈ）、及びゴッセリンク（Ｇｏｓｓｅｌｉｎｋ）に発行）；同第４，９５６，４４７号（１９９０年９月１１日、ゴッセリンク（Ｇｏｓｓｅｌｉｎｋ）らに発行）；同第４，９６８，４５１号（１９９０年１１月６日、シーベル（Ｓｃｈｅｉｂｅｌ）及びゴッセリンク（Ｇｏｓｓｅｌｉｎｋ）に発行）；及び同第４，９７６，８７９号（１９９０年１２月１１日、マルドナド（Ｍａｌｄｏｎａｄｏ）、トリン（Ｔｒｉｎｈ）、及びゴッセリンク（Ｇｏｓｓｅｌｉｎｋ）に発行）に含有される。
【００８７】
界面活性剤
本発明の布地洗浄組成物は、少なくとも約０．０１重量％、好ましくは約０．１重量％〜約６０％、好ましくは約３０重量％までの洗浄性界面活性剤システムを含んでなってもよく、該システムは実施形態により、一つ以上のカテゴリーの界面活性剤から成り、界面活性剤の該カテゴリーは、アニオン性、カチオン性、非イオン性、双性イオン性、両性界面活性剤、及びこれらの混合物から成る群から選択される。界面活性剤の各カテゴリー内で、１超過の種類の界面活性剤が選択され得る。本明細書において有用な界面活性剤の非制限的な例には、以下のものが挙げられる：
ａ）Ｃ１１〜Ｃ１８アルキルベンゼンスルホン酸塩（ＬＡＳ）；
ｂ）Ｃ１０〜Ｃ２０一級、分枝鎖及びランダムアルキルスルフェート（ＡＳ）；
ｃ）以下の式を有するＣ１０〜Ｃ１８二級（２，３）アルキルスルフェート：
【化１２】
2004509218.tif 000013
（式中、ｘ及び（ｙ＋１）は少なくとも約７、好ましくは少なくとも約９の整数であり；前記界面活性剤は１９６６年２月８日に発行された、モリス（Ｍｏｒｒｉｓ）の米国特許第３，２３４，２５８号；１９９１年１２月２４日に発行された、ラッツ（Ｌｕｔｚ）の米国特許第５，０７５，０４１号；１９９４年９月２０日に発行された、ラッツ（Ｌｕｔｚ）らの米国特許第５，３４９，１０１号、１９９５年２月１４日に発行されたプリエト（Ｐｒｉｅｔｏ）の米国特許第５，３８９，２７７号に開示されており、各々は参考として本明細書に組み入れられる）、
ｄ）Ｃ１０〜Ｃ１８アルキルアルコキシスルフェート（ＡＥｘＳ）（式中、好ましくは、ｘは１〜７である）；
ｅ）Ｃ１０〜Ｃ１８アルキルアルコキシカルボキシレート、好ましくは１〜５のエトキシ単位を含んでなる；
ｆ）Ｃ１２〜Ｃ１８アルキルエトキシレート、Ｃ６〜Ｃ１２アルキルフェノールアルコキシレート、ここでアルコキシレート単位はエチレンオキシ及びプロピレンオキシ単位の混合物であり、Ｃ１２〜Ｃ１８アルコール、及びＣ６〜Ｃ１２アルキルフェノールと、エチレンオキシド／プロピレンオキシドブロックポリマーとの縮合物であり、とりわけＢＡＳＦよりのプルロニック（Ｐｌｕｒｏｎｉｃ）（登録商標）であり、これは１９７５年１２月３０日に発行された、ローリン（Ｌａｕｇｈｌｉｎ）らの米国特許第３，９２９，６７８号に開示されており、参考として本明細書に組み入れられる；
ｇ）アルキル多糖類であり、１９８６年１月２６日に発行された、レナード（Ｌｌｅｎａｄｏ）の米国特許第４，５６５，６４７号に開示されており、参考として本明細書組み入れられる；
ｈ）ポリヒドロキシ脂肪酸アミドであり、以下の式を有する：
【化１３】
2004509218.tif 000014
（式中、Ｒ７はＣ５〜Ｃ３１アルキル；Ｒ８は、水素、Ｃ１〜Ｃ４アルキル、Ｃ１〜Ｃ４ヒドロキシアルキルから成る群から選択され、Ｑは少なくとも３つのヒドロキシルが鎖に直接結合する直鎖アルキル鎖を有するポリヒドロキシアルキル部分又はそのアルコキシル化誘導体であって；好ましいアルコキシはエトキシ又はプロポキシ、及びこれらの混合物であり；好ましいＱは還元糖から還元型アミノ化反応により得られ、より好ましくはＱはグリシチル部分であり；Ｑはより好ましくは−ＣＨ２（ＣＨＯＨ）ｎＣＨ２ＯＨ、−ＣＨ（ＣＨ２ＯＨ）（ＣＨＯＨ）ｎ−１ＣＨ２ＯＨ、−ＣＨ２（ＣＨＯＨ）２−（ＣＨＯ’Ｒ）（ＣＨＯＨ）ＣＨ２ＯＨ、及びそのアルコキシル化誘導体から成る群から選択され、（式中、ｎは３〜５の整数であり、Ｒ’は水素又は一つの環式もしくは脂肪族単糖類であり、これは１９９６年２月６日に発行された、コナー（Ｃｏｎｎｏｒ）らの米国特許第５，４８９，３９３号、及び１９９５年１０月３日に発行された、マーチ（Ｍｕｒｃｈ）らの米国特許第５，４５，９８２号に記載されており、両方とも本明細書に参考として組み入れられる。））
【００８８】
本発明の布地洗浄組成物はまた、約０．００１％〜約１００％の一つ以上の（好ましくは二つ以上の混合物）の中鎖分枝界面活性剤、好ましくは以下の式を有する中鎖分枝アルキルアルコキシアルコール：
【化１４】
2004509218.tif 000015
以下の式を有する中鎖分枝アルキルスルフェート：
【化１５】
2004509218.tif 000016
及び以下の式を有する中鎖分枝アルキルアルコキシスルフェート：
【化１６】
2004509218.tif 000017
を含んでなることができ、これらの式の分枝第一アルキル部分の炭素原子の総数（Ｒ、Ｒ１、及びＲ２の分枝は含むが、任意のＥＯ／ＰＯのアルコキシ部分を構成する炭素原子は含まない）は１４〜２０であり、更にこの界面活性剤の混合物において、上記の式を有する分枝第一アルキル部分の炭素原子の平均総数は、１４．５超過約１７．５まで（好ましくは約１５〜約１７）の範囲内であり；Ｒ、Ｒ１、及びＲ２はそれぞれ独立して、水素、Ｃ１〜Ｃ３アルキル、及びこれらの混合物から選択され、好ましくはメチルであり；ただし、Ｒ、Ｒ１、及びＲ２はすべてが水素であるわけではなく、ｚが１のとき、少なくともＲ又はＲ１は水素ではない。Ｍは水溶性陽イオンであり、例えば、ナトリウムとカリウムの混合物のような２種類以上の陽イオンを含んでなることがある。ｗ＋ｘ＋ｙ＋ｚが８〜１４である場合、指数ｗは０〜１３の整数、ｘは０〜１３の整数、ｙは０〜１３の整数、ｚは少なくとも１の整数である。ＥＯ及びＰＯは、次式を有するエチレンオキシ単位及びプロピレンオキシ単位をそれぞれ表す：
【化１７】
2004509218.tif 000018
ただし、その他のアルコキシ単位、とりわけ１，３−プロピレンオキシ、ブトキシ、及びこれらの混合物は、中鎖分枝アルキル部分に付加するアルコキシ単位として好適である。
【００８９】
中鎖分枝界面活性剤は、好ましくは界面活性剤システムを含んでなる混合物である。そのため、界面活性剤システムがアルコキシル化界面活性剤を含んでなる場合、指数ｍは界面活性剤混合物内の平均アルコキシル化度を示す。従って、指数ｍは少なくとも約０．０１、好ましくは約０．１から、より好ましくは約０．５から、最も好ましくは約１〜約３０、好ましくは約１０まで、より好ましくは約５までの範囲内にある。アルコキシル化界面活性剤のみを含んでなる中鎖分枝界面活性剤システムを考える場合、指数ｍの値はｍに対応する平均アルコキシル化度の分布を表すか、又はｍに対応する単位数と全く同じアルコキシル化（例えば、エトキシル化及び／又はプロポキシル化）を有する単一の特定鎖である可能性がある。
【００９０】
本発明の界面活性剤システムに用いるのに好適である、本発明の好ましい中鎖分枝界面活性剤は以下の式：
【化１８】
2004509218.tif 000019
又は以下の式を有し：
【化１９】
2004509218.tif 000020
式中、ａ、ｂ、ｄ、及びｅは、ａ＋ｂが１０〜１６、及びｄ＋ｅが８〜１４であるような整数であり；Ｍはナトリウム、カリウム、マグネシウム、アンモニウム及び置換アンモニウム、並びにこれらの混合物から選択される。
【００９１】
中鎖分枝界面活性剤を含んでなる本発明の界面活性剤システムは、好ましくは二つの実施形態において配合される。第一の好ましい実施形態は、２５％以下の中鎖分枝アルキル単位を含んでなる供給原料から形成される、中鎖分枝界面活性剤を含んでなる。そのため他の任意の従来の界面活性剤と混合する前に、中鎖分枝界面活性剤構成成分は非直鎖の界面活性剤である界面活性剤分子を２５％以下含んでなる。
【００９２】
第二の好ましい実施形態は、約２５％〜約７０％の中鎖分枝アルキル単位を含んでなる供給原料から形成される、中鎖分枝界面活性剤を含んでなる。そのため他の任意の従来の界面活性剤と混合する前に、中鎖分枝界面活性剤成分は非直鎖の界面活性剤である界面活性剤分子を約２５％〜約７０％含んでなる。
【００９３】
本発明の布地洗浄組成物の界面活性剤システムは、約０．００１重量％から、好ましくは約１重量％から、より好ましくは約５重量％から、最も好ましくは約１０重量％から、約１００重量％までの、好ましくは約６０重量％までの、より好ましくは約３０重量％までの界面活性剤システムも含むことができ、この界面活性剤システムは一つ以上（好ましくは二つ以上の混合物）の中鎖分枝アルキルアリールスルホネート界面活性剤であり、好ましくはアリール単位が以下の式を有するベンゼン環である界面活性剤である：
【化２０】
2004509218.tif 000021
式中、Ｌは６〜１８の炭素原子を含んでなる非環式ヒドロカルビル部分であり；Ｒ１、Ｒ２、及びＲ３はそれぞれ独立して水素又はＣ１〜Ｃ３のアルキルであり、但しＲ１及びＲ２はＬ単位の末端において結合せず；Ｍは電荷ｑを有する水溶性カチオンであり、ａ及びｂは電荷の中立を保つためにひとまとめにして考えられる。
【００９４】
その上本発明は、約０重量％から、好ましくは約０．５重量％〜約１０重量％、好ましくは約０．５重量％まで、より好ましくは約４重量％まで、最も好ましくは約３％までの一つ以上のポリオキシアルキレンアルキルアミド界面活性剤を含んでなってもよい。本発明における使用に好適な非イオン性界面活性剤は次の式を有する：
【化２１】
2004509218.tif 000022
式中、ＲはＣ７〜Ｃ２１直鎖アルキル、Ｃ７〜Ｃ２１分枝アルキル、Ｃ７〜Ｃ２１直鎖アルケニル、Ｃ７〜Ｃ２１分枝アルケニル、及びこれらの混合物であって；Ｒ１はエチレンであり；Ｒ２はＣ３〜Ｃ４直鎖アルキル、Ｃ３〜Ｃ４分枝アルキル、及びこれらの混合物であって；好ましくはＲ２は１，２−プロピレンである。Ｒ１及びＲ２単位の混合物を含んでなる非イオン性界面活性剤は、好ましくは約１〜約４の１，２−プロピレン単位との組み合わせで約４〜約１２のエチレン単位を含んでなる。単位は交替してもよく、また配合者に好適な任意の組み合わせで共にグループ化してもよい。好ましくは、Ｒ１単位とＲ２単位の比は約４：１〜約８：１である。好ましくは、一つのＲ２単位（即ち１，２−プロピレン）は、窒素原子に結合し、４〜８のエチレン単位を含んでなる鎖の残部がそれに続く。
【００９５】
上述の式中、Ｒ３は、水素、Ｃ１〜Ｃ４直鎖アルキル、Ｃ３〜Ｃ４分枝アルキル、及びこれらの混合物であり、好ましくは水素又はメチルであり、より好ましくは水素である。Ｒ４は、水素、Ｃ１〜Ｃ４直鎖アルキル、Ｃ３〜Ｃ４分枝アルキル、及びこれらの混合物であり、好ましくは水素である。ｍが２に等しいとき、ｎは０でなければならず、Ｒ４単位は存在せず、代わりに−［（Ｒ１Ｏ）ｘ（Ｒ２Ｏ）ｙＲ３］単位で置き換えられる。ｍが１のとき、ｎは１に等しい。好ましくは、ｍが１に等しく及びｎが１に等しいとき、一つの−［（Ｒ１Ｏ）ｘ（Ｒ２Ｏ）ｙＲ３］単位、及びＲ４は窒素原子上に存在する結果となる。ｘは０〜約５０、好ましくは約３〜約２５、より好ましくは約３〜約１０である。ｙは０〜約１０、好ましくは０であるが、ｙが０に等しくないとき、それは１〜約４である。好ましくは、すべてのアルキレンオキシ単位はエチレンオキシ単位である。エトキシル化ポリオキシアルキレンアルキルアミド界面活性剤の当業者は、指数ｘ及びｙの値は平均値であり、実際の値は、アミド類をアルコキシル化するのに用いる方法によっていくつかの値にわたる可能性があることを認識する。本発明のポリオキシアルキレンアルキルアミド界面活性剤の調整方法は、マーティン・シック（Ｍａｒｔｉｎ Ｓｃｈｉｃｋ）編「界面化学シリーズ（Ｓｕｒｆａｃｔａｎｔ Ｓｃｉｅｎｃｅ Ｓｅｒｉｅ）」、第Ｉ巻、８章（１９６７年）及び第ＸＩＸ巻、１章（１９８７年）で見ることができる。
【００９６】
本明細書で有用な非イオン性界面活性剤は、粘度／分散性変性剤として働き、エチレンオキシド及び任意選択的にプロピレンオキシドと、脂肪族アルコール、脂肪酸、脂肪族アミンなどとの付加生成物を含む。これらは、本明細書でエトキシル化脂肪族アルコール、エトキシル化脂肪酸、及びエトキシル化脂肪族アミンとして参照される。いかなるこれらのアルコキシル化物質も非イオン性界面活性剤として用いられ得る。一般論として、これらの非イオン性物質が本発明の液体組成物に単独で用いられる場合、０％〜５％、好ましくは０．１％〜５％、より好ましくは０．２％〜３％の濃度である。
【００９７】
漂白
漂白剤は本発明の洗浄組成物の中に、好ましくは第二の洗浄成分として含まれ得る。それらは過酸化水素、ＰＢ１、ＰＢ４、及び粒径４００〜８００ミクロンの過炭酸塩を含む。これらの漂白剤成分は一つ以上の酸素漂白剤を含むことができ、選択された漂白剤に応じて、一つ以上の漂白活性化剤を含み得る。存在する場合、酸素漂白化合物は、通常０．１％〜３０％、好ましくは１％〜２０％の濃度で存在する。
【００９８】
本発明に使用する漂白剤成分は、当業界では周知のその他のものと同様に酸素漂白剤を含み、洗剤組成物に有用な漂白剤のいかなるものであり得る。本発明に好適な漂白剤は、活性化漂白剤又は非活性化漂白剤であり得る。
【００９９】
使用することができる一つの酸素漂白剤のカテゴリーは、過カルボン酸漂白剤及びその塩を包含する。この種の作用剤の好適な例には、マグネシウムモノペルオキシフタレートヘキサヒドレート、メタクロロ過安息香酸のマグネシウム塩、４−ノニルアミノ−４−オキソペルオキシ酪酸及びジペルオキシドデカン二酸が挙げられる。そのような漂白剤は、米国特許第４，４８３，７８１号、米国特許出願第７４０，４４６号、欧州特許出願第０，１３３，３５４号、及び米国特許第４，４１２，９３４号に開示されている。きわめて好ましい漂白剤にはまた、米国特許第４，６３４，５５１号に記載される６−ノニルアミノ−６−オキソペルオキシカプロン酸が挙げられる。
【０１００】
使用することができるもう一つの漂白剤のカテゴリーは、ハロゲン漂白剤を包含する。ハイポハライト漂白剤の実施例には、例えば、トリクロロイソシアヌル酸、並びにジクロロイソシアヌル酸及びジクロロイソシアヌル酸のナトリウム塩及びカリウム塩、並びにＮ−クロロアルカンスルフォンアミド及びＮ−ブロモアルカンスルホンアミドが含まれる。このような物質は、通常は最終製品の０．５〜１０重量％、好ましくは１〜５重量％の濃度で加えられる。
【０１０１】
過酸化水素放出剤は、テトラアセチルエチレンジアミン（ＴＡＥＤ）、ノナノイルオキシベンゼン−スルホネート（米国特許第４，４１２，９３４号に記載されるＮＯＢＳ）、３，５，−トリメチルヘキサノールオキシベンゼンスルホネート（ＥＰ１２０，５９１に記載されるＩＳＯＮＯＢＳ）又はペンタアセチルグルコース（ＰＡＧ）又はＮ−ノナノイル−６−アミノカプロン酸のフェノールスルホネートエステル（国際公開第９４／２８１０６号に記載されるＮＡＣＡ−ＯＢＳ）のような漂白活性化剤と組み合わせて使用することができ、それは過加水分解されて漂白活性種としての過酸を生成し、漂白効果の改善をもたらす。また好適な活性化剤は、欧州特許ＥＰ６２４１５４に開示されるようなアシル化したシトレートエステル及びプロクター・アンド・ギャンブル（Ｐｒｏｃｔｅｒ ＆ Ｇａｍｂｌｅ）の国際公開第９８／０４６６４号に開示されるような次の式の非対称の非環式イミド漂白活性化剤である。
【化２２】
2004509218.tif 000023
Ｒ１はＣ７〜Ｃ１３の直鎖又は分岐鎖の飽和又は不飽和アルキル基、Ｒ２はＣ１〜Ｃ８の直鎖又は分岐鎖の飽和又は不飽和アルキル基、及びＲ３はＣ１〜Ｃ４の直鎖又は分岐鎖の飽和又は不飽和アルキル基である。それらの漂白活性化剤は、一般に本発明の洗剤組成物に、その洗剤組成物の０．１〜１０重量％、好ましくは０．５〜５重量％の濃度で使用される。
【０１０２】
有用な漂白剤は、本発明による洗剤組成物に使用するための漂白活性化剤及び過酸素漂白化合物を含む過酸及び漂白系を含み、これはプロクター・アンド・ギャンブル社（Ｐｒｏｃｔｅｒ ＆ Ｇａｍｂｌｅ）の同時係属出願中の国際公開第９５／１０５９２号、第９７／００９３７号、第９５／２７７７２号、第９５／２７７７３号、第９５／２７７７４号、及び第９５／２７７７５号に記載されている。
【０１０３】
過酸化水素は更に酵素的システム（即ち、酵素及び基質）を加えることにより存在してもよく、それは洗浄及び／又はすすぎの過程の開始時又はその間に過酸化水素を発生することができる。そのような酵素的システムは、欧州特許ＥＰ５３７３８１に開示されている。
【０１０４】
漂白剤組成物に使用する金属含有触媒には、ペンタアミンアセテートコバルト（ＩＩＩ）塩類のようなコバルト含有触媒、欧州特許出願５４９，２７１；欧州特許出願５４９，２７２；欧州特許出願４５８，３９７；米国特許第５，２４６，６２１号；欧州特許出願４５８，３９８；米国特許第５，１９４，４１６号、及び米国特許第５，１１４，６１１号に記載されるようなマンガン含有触媒が含まれる。ペルオキシ化合物、マンガン含有の漂白触媒、及びキレート試薬を含んでなる漂白剤組成物は、特許出願番号９４８７０２０６．３に記載されている。漂白剤化合物は、マンガン化合物によって触媒することができる。このような化合物は当業界において周知であり、例えば、米国特許第５，２４６，６２１号、米国特許第５，２４４，５９４号、米国特許第５，１９４，４１６号、米国特許第５，１１４，６０６号；及び欧州特許出願公開番号５４９，２７１Ａ１、５４９，２７２Ａ１、５４４，４４０Ａ２、及び５４４，４９０Ａ１に開示されているマンガン主体触媒が挙げられる；これらの触媒の好ましい例にはＭｎＩＶ２（ｕ−Ｏ）３（１，４，７−トリメチル−１，４，７−トリアザシクロノナン）２（ＰＦ６）２、ＭｎＩＩＩ２（ｕ−Ｏ）１（ｕ−ＯＡｃ）２（１，４，７−トリメチル−１，４，７−トリアザシクロノナン）２（ＣｌＯ４）２、ＭｎＩＶ４（ｕ−Ｏ）６（１，４，７−トリアザシクロノナン）４（ＣｌＯ４）４、ＭｎＩＩＩＭｎＩＶ４（ｕ−Ｏ）１（ｕ−ＯＡｃ）２−（１，４，７−トリメチル−１，４，７−トリアザシクロノナン）２（ＣｌＯ４）３、ＭｎＩＶ（１，４，７−トリメチル−１，４，７−トリアザシクロノナン）−（ＯＣＨ３）３（ＰＦ６）、及びこれらの混合物が挙げられる。
【０１０５】
本発明で使用するのにより好ましいものは、遷移金属とクロス架橋マクロ多環式リガンドの錯体である遷移金属漂白剤触媒であり、プロクター・アンド・ギャンブルの特許出願第９８／３９４０５号、第９８／３９４０６号、及び第９８／３９０９８に記載されるようなものである。最も好ましいのは、式［Ｍｎ（Ｂｃｙｃｌａｍ）Ｃｌ２］のＭｎ錯体漂白剤触媒であり、以下のように示される：
【化２３】
2004509218.tif 000024
「Ｂｃｙｃｌａｍ」（５，１２−ジメチル−１，５，８，１２−テトラアザ−ビシクロ［６．６．２］ヘキサデカン又は５，１２−ジエチル−１，５，８，１２−テトラアザ−ビシクロ［６．６．２］ヘキサデカン）このような遷移金属漂白触媒は、プロクター・アンド・ギャンブル社（Ｐｒｏｃｔｅｒ ＆ Ｇａｍｂｌｅ）の特許出願国際公開第９８／３９３３５号、又はＪ．Ａｍｅｒ．Ｃｈｅｍ．Ｓｏｃ．、（１９９０年）、１１２、８６０４に従って調製し得る。これらの漂白剤触媒は、一般に、本発明の洗剤組成物に、洗剤組成物の０．０００７〜０．０７重量％、好ましくは０．００５〜０．０５重量％の濃度で包含される。
【０１０６】
酸素漂白剤以外の漂白剤もまた当業界において既知であり、本明細書で利用することができる。特に関心のある非酸素漂白剤の一つの型には、スルホン化亜鉛及び／又はアルミニウムフタロシアニン類のような光活性化漂白剤が挙げられる。
【０１０７】
これらの物質は洗浄処理の間に基質上に付着し得る。日光の下に布地を乾燥するために吊下げることなどにより、酸素の存在下で光線を照射すると、スルホン化亜鉛フタロシアニンは活性化され、その結果としてその基質は漂白される。好ましい亜鉛フタロシアニン及び光活性化漂白過程は、米国特許第４，０３３，７１８号に記載されている。一般に、洗剤組成物は、約０．０２５重量％〜約１．２５重量％のスルホン化亜鉛フタロシアニンを含有する。
【０１０８】
本発明の目的のために漂白種として更に好適なものは、漂白組成物中で過酸素源とともに使用してもよい色物にも安全な漂白増強剤である。漂白増強剤は、一般に洗剤組成物に、組成物の０．０１〜１０重量％、更に好ましくは０．０５〜５重量％の濃度で存在する。本発明の洗剤組成物に含まれる漂白増強剤は、双性イオン性イミン、正味約−１〜約−３の負電荷を有する陰イオン性イミンポリイオン、及びこれらの混合物を含んでなる。
【０１０９】
本発明の好適なイミン漂白増強剤には、以下の一般構造を示すものを含む：
【化２４】
2004509218.tif 000025
式中、Ｒ１〜Ｒ４は、水素又は少なくとも一つのＲ１〜Ｒ４がアニオン性に荷電した部分を含有することを除いては、フェニル、アリール、複素環、アルキル及びシクロアルキル基から成る群より選択される非置換又は置換ラジカルであってもよい。
【０１１０】
好ましい漂白増強剤は、国際公開第９７／１０３２３号に記載される、イミン窒素に結合する陰イオン性に荷電した部分を有する。米国特許第５，７１０，１１６号に記載のトリ：環式オキサジリジニウム化合物及び国際公開第９８／１６６１４に記載の漂白増強剤も好ましい。これらは、国際公開第９７／１０３２３号及び／又は第９８／１６６１４号に記載される方法に従って調製することができる。
【０１１１】
また好適なのは前もって形成されたペルオキシカルボン酸であり、プロクター・アンド・ギャンブル社（Ｐｒｏｃｔｅｒ ＆ Ｇａｍｂｌｅ Ｃｏｍｐａｎｙ）の国際公開第０１／００７６５号２１頁２１行〜２５頁２０行に記載されるように、好ましくは懸濁剤と共に用いられる。
【０１１２】
二重もしくは多機能剤又は添加物
本物品及び組成物は存在する場合、少なくとも約０．０００１％の洗浄及び布地保護活性の両方を有する二重機能剤を、追加的に含んでなり得る。例えば、特定のポリマーは汚れを懸濁し、布地保護効果を提供するのに有用であり得る。
【０１１３】
任意成分
本発明の布地洗浄及び保護組成物は、必須布地洗浄剤（類）もしくは布地保護活性物質（類）の機能、又は消費者への組成物の魅力を高める一つ以上の任意物質を含有してもよい。これらの任意成分には、溶媒、安定剤、審美的添加物、例えば、着色剤；ｐＨ調整剤、充填剤、界面活性剤、漂白剤、発泡剤などを含むことができ、いかなる発明組成物の中にも任意選択的に存在することができる。本発明の組成物は他の物質の中でも、任意の安定剤、粘度変性剤、及び／又は懸濁剤を更に含んでなってもよい。一例として、僅かに水溶性又は非水溶性の成分が組成物に用いられる場合は、安定剤及び／又は懸濁剤が必要である可能性がある。布地洗浄及び保護組成物の粘弾性特性が異なる場合、望ましい注入比を達成するために、一つの又は両方の組成物に粘度変性剤が添加されてもよい。
【０１１４】
溶媒
水及び／又は溶媒は、本発明の布地洗浄又は布地保護組成物に、一般に存在することも、存在しないことも可能であるが、しかしながら水及び／又は溶媒は、普通は少なくとも約０．０１％〜約８０％、又はそれより高い濃度でいかなる組成物中にも存在する。好適な溶媒には、特にエタノール、イソプロパノール、プロピレングリコール、ヘキシレングリコール、１，２−プロパンジオール、１、３−プロパンジオール、プロピレンカーボネート、１，４シクロヘキサンジメタノールが挙げられる。
【０１１５】
安定剤及び粘度変性剤
本明細書に用いるのに好適な安定剤及び粘度変性剤は、ゴム類及び他の類似の多糖類、例えば、ジェランガム、カラゲナンガムを含む増粘安定剤、並びに他の既知の種類の増粘剤及び粘弾性添加物から選択し得る。より好ましくは、安定剤は結晶性ヒドロキシル含有安定化剤であり、更により好ましくはトリヒドロキシステアリン水素添加油又はその変異形である。結晶性ヒドロキシル含有安定化剤は、脂肪酸、脂肪酸エステル、又は脂肪石鹸非水溶性ワックス様物質であり得る。本発明による結晶性ヒドロキシル含有安定化剤は、好ましくはヒマシ油の誘導体、特にカスターワックスのような硬化ヒマシ油誘導体である。結晶性ヒドロキシル含有剤は、通常以下の（ｉ）及び（ｉｉ）から成る群から選択される：
（ｉ）Ｒ１ＯＣＨ２ＣＨ（ＯＲ２）ＣＨ２ＯＲ３
式中、Ｒ１は−Ｃ（Ｏ）Ｒ４であり、Ｒ２はＲ１又はＨであり、Ｒ３はＲ１又はＨであり、Ｒ４は独立して、少なくとも一つのヒドロキシル基を含んでなる、Ｃ１０〜Ｃ２２のアルキル又はアルケニルであり；
【化２５】
2004509218.tif 000026
式中：Ｒ７は、
【化２６】
2004509218.tif 000027
Ｒ４は上記ｉ）において定義された通りであり；ＭはＮａ＋、Ｋ＋、Ｍｇ＋＋、Ａｌ３＋、又はＨ；及びこれらの混合物である。あるいは結晶性ヒドロキシル含有安定化剤は以下の式を有する可能性がある：
ＣＨ３（ＣＨ２）ａＣＨＯＨ（ＣＨ２）ｘＣ（Ｏ）ＯＣＨ２ＣＨ（Ｏ（Ｏ）Ｃ（ＣＨ２）ｙＣＨＯＨ（ＣＨ２）ｂＣＨ３）ＣＨ２Ｏ（Ｏ）Ｃ（ＣＨ２）ｚＣＨＯＨ（ＣＨ２）ｃＣＨ３
式中：（ｘ＋ａ）は１１〜１７であり；（ｙ＋ｂ）は１１〜１７であり；（ｚ＋ｃ）は１１〜１７である。好ましくは式中ｘ＝ｙ＝ｚ＝１０及び／又は式中ａ＝ｂ＝ｃ＝５である。
【０１１６】
これらの安定化剤を製造する方法についての詳細は、プロクター・アンド・ギャンブル社（Ｐｒｏｃｔｅｒ ＆ Ｇａｍｂｌｅ Ｃｏｍｐａｎｙ）所有の米国特許第６，０８０，７０８号に見い出し得る。市販の結晶性ヒドロキシル含有安定化剤には、レオックス社（Ｒｈｅｏｘ， Ｉｎｃ．）よりのジキシン（ＴＨＩＸＣＩＮ（登録商標））が挙げられる。
【０１１７】
本明細書において有用な他の安定剤には、ゴム型ポリマー（例えば、キサンタンガム）、ポリビニルアルコール及びその誘導体、セルロース及びその誘導体、タマリンドガム（好ましくはキシログルカンポリマーから成る）、グアーガム、イナゴマメゴム（好ましくはガラクトマンナンポリマーから成る）、並びに他の工業ゴム及びポリマーが挙げられるが、これにはタラ（Ｔａｒａ）、フェヌグリーク（Ｆｅｎｕｇｒｅｅｋ）、アロエ、チア（Ｃｈｉａ）、アマニ、オオバコの種子、マルメロの種子、キサンタン、ゲラン（ｇｅｌｌａｎ）、ウェラン（ｗｅｌａｎ）、ラムサン（ｒｈａｍｓａｎ）、デキストラン、カードラン、プルラン、スクレログルカン、シゾフィラン、キチン、ヒドロキシアルキルセルロース、アラビナン（好ましくは甜菜から）、非分枝アラビナン（好ましくは甜菜から）、アラビノキシラン（好ましくはライ麦及び小麦粉から）、ガラクタン（好ましくはルピン及びポテトから）、ペクチンガラクタン（好ましくはポテトから）、ガラクトマンナン（好ましくはイナゴマメから、並びに低及び高粘度の両方を含む）、グルコマンナン、リケナン（好ましくはアイスランドモスから）、マンナン（好ましくはアイボリーナットから）、パシマン（ｐａｃｈｙｍａｎ）、ラムノガラクツロナン、アカシアガム、寒天、アルギン酸塩、カラゲナン、キトサン、クラバン（ｃｌａｖａｎ）、ヒアルロン酸、ヘパリン、イヌリン、セロデキストリン（ｃｅｌｌｏｄｅｘｔｒｉｎ）、カルボキシメチルセルロース（ＣＭＣ）、デキストラン、デキストリン、エチルヒドロキシエチルセルロース（ＥＨＥＣ）、グアー、ヒドロキシエチルセルロース（ＨＥＣ）、ヒドロキシプロピルセルロース（ＨＰＣ）、ヒドロキシブチルセルロース（ＨＢＣ）、カラヤ、カラマツ、メチルセルロース（ＭＣ）、タマリンド、スクレログルカン、キサンタン、カルボキシメチルヒドロキシエチルセルロース（ＣＭＨＥＣ）、メトキシプロピルメチルセルロース（ＭＰＭＣ）、ヘキシルカルボキシメチルセルロース、Ｃ１２〜Ｃ２０のアルキルカルボキシメチルセルロース、メチルヒドロキシエチルセルロース（ＭＨＥＣ）、メチルヒドロキシプロピルセルロース（ＭＨＰＣ）、ヒドロキシエチルメチルセルロース（ＨＥＭＣ）、ヒドロキシプロピルメチルセルロース（ＨＰＭＣ）、ヒドロキシブチルメチルセルロース（ＨＢＭＣ）、及びこれらの混合物が挙げられるが、これらに限定されない。
【０１１８】
発泡剤
別の好ましい任意成分には発泡剤が含まれるであろう。本発明の物品に有用な発泡システムは、当業者に既知の任意の好適な発泡システムであることができる。例えば、発泡システムは１）過酸化水素のような過酸化物成分源、及び２）発泡剤含有成分のような二つの成分を含んでなってもよく、この発泡剤含有成分は、例えば、カタラーゼ酵素、又は１）重炭酸塩のような発泡剤含有成分、及び２）クエン酸のような酸剤含有成分のような成分の組み合わせである。本明細書において用いられる場合「発泡」とは、本明細書に記述されたような発泡システムからの気体、気泡、泡、ムースなどの形成を含むが、これらに限定されない。発泡剤含有成分及び酸剤含有成分及び／又は過酸化物成分源が、発泡が望まれるまで互いに分離されていることが望ましいため、こうした発泡剤は容器の別の区画に含有されるであろうことが予想される。分配にあたり、剤はともに混合され発泡を生じるべきである。発泡システムの使用及びその成分に関するさらなる詳細は、２０００年６月２７日に出願されたデ・ブザカリーニ（Ｄｅ Ｂｕｚｚａｃｃａｒｉｎｉ）らの、国際公開第０１／００７６５号に見出されるであろう。
【０１１９】
他の任意成分及びこれらの混合物
用いられる場合、特に着色剤、ｐＨ調整剤、充填剤、及び漂白剤のような他の任意成分は、組成物の約０．００１％〜約８０％の濃度で存在する。
【０１２０】
個々の成分の他の濃度
特に指定しない限り、本物品及び組成物の中のいかなる必須又は任意成分も、目的とする使用により広く分布する濃度で存在し得る。例えば、広く知られるように、酵素又は他の触媒作用物質は、洗濯組成物において重量で百万分の１ほどの低い濃度において、有用且つ有効であり得る。それとは正反対に、水及び／又は充填剤は非常に高濃度でもまた存在し得る。このように特に指定しない限り、本明細書のいかなる必須及び任意成分も、組成物の百万分の１から９０重量％以上まで分布する濃度において用い得る。
【０１２１】
物品との関連において有用な装置：分配装置
本発明は、望ましくは分配装置又は物品と共に用いられる。例えば、布地洗浄及び／又は布地保護組成物の投与量は、同時に又は順次に（好ましくは同時に）本発明の物品の容器から分配カップの中に分配され得る。分配カップは、洗濯前処理ディスペンサーとして、又は洗濯機の中に設置され得る「分配ボール」として動作する能力を有するような型を含む、当該技術分野において既知の多くのいかなる型であることも可能である。好適な分配ボールは、プロクター・アンド・ギャンブル社（Ｐｒｏｃｔｅｒ ＆ Ｇａｍｂｌｅ Ｃｏｍｐａｎｙ）に譲渡された米国特許第５，２６７，６７１号、及びユニリーバ（Ｕｎｉｌｅｖｅｒ）に譲渡されたＥＰ０３６８６８０Ｂ１に開示されている。更に最近開発された前処理型ディスペンサーには「ローラーボール」型として知られ、プロクター・アンド・ギャンブル社（Ｐｒｏｃｔｅｒ ＆ Ｇａｍｂｌｅ Ｃｏｍｐａｎｙ）により商品名「キック（Ｋｉｃｋ）」として販売されているものが挙げられる。
【０１２２】
キット
好ましい物品はキットの中に詰められ得るが、該キットは更に分配装置、使用法の指示、又はその組み合わせを含んでなる。
【０１２３】
方法
本発明は、多数の方法の実施形態を有し、これは、組成物を保存及び供給することと関連した適合性の問題を解決する方法を含み、この組成物は、測定可能なほど減少された安定性を有するか又は不適合である剤から、高品質の布地保護の利益、又は高品質の布地洗浄及び布地保護の利益の両方を同時に提供するものである。該方法は、
ａ）上記のような物品を提供する工程と、
ｂ）前記物品から、組成物が有効に混合されるように、布地保護組成物、又は布地洗浄及び布地保護組成物を分配する工程と、
ｃ）混合された布地保護組成物、又は混合された布地洗浄及び保護組成物を、布地を洗濯するのに用いる洗濯溶液の中に分配する工程と
を含んでなる。
【０１２４】
また、有効な混合が達成された場合に信号を発生する手段を提供することを含んでなってもよい。こうした手段には、混合が起こると、混合された組成物が泡又はムースを発生するように、異なる区画の各々の組成物の中に発泡剤を混合することが挙げられる。それは、組成物が完全に混合され、洗濯溶液の中に分配する用意が整ったことを消費者に合図する、泡の発生又はムースの観察である。
【０１２５】
代わりの方法は、異なる区画から組成物を、この組成物の有効な混合が達成される可能性がある分配装置の中に導き、続いて混合された組成物を布地を洗濯するために用いる溶液の中に分配する工程を含んでなる。この代わりの方法において、組成物は分配の前には別の容器に保存される可能性があることが予想される。
【０１２６】
本発明はまた、消費者に洗濯製品における斬新な布地保護技術の存在を伝達する一方で、適合性の問題を同時に解決する方法を提供し、該方法は、
ａ）既に別の布地保護活性物質を含んでなる布地保護組成物において、測定可能なほど減少された安定性か、又は乏しい適合性を有する少なくとも一つの布地保護活性物質を選択する工程と、
ｂ）布地に布地保護の利益を提供するために用いる洗濯物品を提供する工程であって、該物品が、
−複数の区画を有する容器と、
−各区画の中の布地保護組成物と
を含んでなり、
洗濯物品の使用のための指示を提供する工程と
を含む。
【０１２７】
本発明はまた、消費者に洗濯製品における斬新な布地保護技術の存在を伝達する一方で、適合性の問題を同時に解決する方法を提供し、該方法は、
ａ）具体的な実施形態において、界面活性剤又は漂白剤以外の洗浄剤を含んでなる洗剤組成物において、測定可能なほど減少された安定性か、又は乏しい適合性を有する少なくとも一つの布地保護活性物質を選択する工程と、
ｂ）布地に洗浄及び布地保護の利益を提供するために用いる洗濯物品を提供する工程であって、該物品が、
複数の区画を有する容器と、
第一の区画の中の、実質的にすべての前記洗浄剤を有する布地洗浄組成物と、
少なくとも一つの追加の区画の中の布地保護組成物であって、該布地保護組成物が実質的にすべての前記布地保護活性物質を有する組成物と
を含んでなり、
ｃ）洗濯物品の使用のための指示を提供する工程と
を含んでなる。
【０１２８】
好ましい方法において、使用のための前記指示は、洗濯機に一体化していない分配装置の中で、組成物を消費者に混合させ、結果として前記分配装置の中で有効な混合の信号が観察できるようにする指示を含んでなる。本発明の方法は、混合が有効になったという少なくとも一つの信号を観察するのに十分な期間、前記分配装置を手動で撹拌するという指示を更に含んでなることができる。また包含されるのは、幾つかの布地保護活性物質を分離する、又は布地保護活性物質を布地洗浄剤から分離するために、上文で定義された洗濯物品を使用する方法であり、前記布地保護活性物質、又は前記布地保護活性物質及び布地洗浄剤は、化学反応又は物理的相変化が生じることなくそれらを混合することができるという意味で適合性があり、前記物品はいかなる前記複数区画の中の成分も同定する標識手段を更に含み、それにより消費者は前記物品の異なる組成物の目的及び使用をよりよく理解する。
【０１２９】
その他の好ましい方法において、前記布地保護活性物質は加水分解可能な部分を含んでなり、好ましくは前記加水分解可能な部分はエステルである。
【０１３０】
別の方法の実施形態において、本発明は上文で定義した洗濯物品の使用方法を包含し、これは、
ａ）本発明の物品の二つの組成物を同時に分配装置に注入し、該分配装置は洗濯機に一体化されておらず、二つの組成物の混合を可能にすることと、
ｂ）混合が有効であったという少なくとも一つの信号を観察することであって、該信号は、化学反応、又は色の変化、体積の変化、粘度の変化、発泡効果、香気の変化、可聴式変化（例えばポンと音がする）、温度の変化、又はこれらの組み合わせから選択されるような物理的−化学的系の変化から得られることと、
ｃ）分配装置を洗濯機又は洗濯溶液の中に設置することと
を含んでなる。
【０１３１】
組成物の使用
本物品、組成物、及び方法は、通常は自動洗濯機の中で又は自動洗濯機と共に用いられるが、それらはまた前処理及び／又は手洗いの用途に利益をもたらすために用いられてもよいことが予想される。
【０１３２】
以下の例において各物質に付随した数字は、洗浄又は布地保護組成物の重量パーセントを表す。
【０１３３】
実施例１〜８において一貫性を期すために、組成物「Ａ」は洗浄剤を含有する組成物であり、組成物「Ｂ」は布地保護剤を含有する組成物である。組成物Ａ及びＢは別々に調製され、各組成物は、液体洗剤洗濯製品に好適な一般的な設計及び寸法を有する、二重室容器の区画の一つの中に設置される。しかしながら分配の前に最適の安定性を達成するために、洗浄剤は別の区画の中に好ましくは保持される。
【０１３４】
すべての成分（布地保護活性物質を含む）は配合されるときに、良好な化学的及び物理的安定性を有するが、これは単一の組成物の中にすべての成分を共に混合する場合には不可能なことであろう。
【０１３５】
（実施例）
実施例１及び２
実施例１及び２は液体組成物である。布地保護活性物質（ジメチルジタローアシルオキシエチル、又はカチオン性シリコーン）が一つの区画にあり、分配の前に最適の安定性を達成するために洗浄剤は第二の区画に保持される。
【表１】
2004509218.tif 000028
【０１３６】
実施例３
実施例３は、二つの成分を混合することによりムースを生成する液体組成物である。布地保護活性物質（メチルヒドロキシエチルジ−キャノールアシルオキシエチル）が一つの区画の中にあり、分配の前に最適の安定性を達成するために、洗浄剤は第二の区画の中に保持される。
【表２】
2004509218.tif 000029
【０１３７】
実施例４
実施例４は、二つの成分を混合することによりムースを生成する液体組成物である。布地保護活性物質（メチル−Ｎ−（２−ヒドロキシエチル）−Ｎ，Ｎ−ジ（タローアシルオキシエチル）アンモニウムメチルスルフェート）が一つの区画の中にあり、分配の前に最適の安定性を達成するために、洗浄剤は第二の区画の中に保持される。
【表３】
2004509218.tif 000030
【０１３８】
実施例５
実施例５においては、布地保護活性物質（ケアザイム（Ｃａｒｅｚｙｍｅ（登録商標）））は安定性を高めるためにプロテアーゼ酵素から別に組み入れられる。
【表４】
2004509218.tif 000031
【０１３９】
実施例６
実施例６においては、布地保護活性物質（ヘクトライト粘土）が、布地洗浄組成物から別に供給された場合に、はるかに良好な布地柔軟性性能を提供する。
【表５】
2004509218.tif 000032
【０１４０】
実施例７及び８
実施例７及び８において、布地保護活性物質（イミダゾール／エピクロロヒドリンコポリマー、ポリビニルピリジンＮ−オキシド及びカルボキシメチルセルロース）は、それらが布地洗浄剤から別々に組み入れられた場合に、より容易に安定化し、より良好な性能を提供する。
【表６】
2004509218.tif 000033
【０１４１】
実施例９
二つの布地保護組成物は、両方の区画に布地保護活性物質と共に配合されるが、それらは物理的に互いにあまり安定していない。区画Ｂは、例えば、カルタフィックス（Ｃａｒｔａｆｉｘ（登録商標））、高いイオン強度を必要とするポリマー染料固定剤を含むが、これは区画Ａの布地保護組成物の布地柔軟成分に対して物理的にあまり安定していない。
【表７】
2004509218.tif 000034
【０１４２】
他の利益、他の実施形態、及び派生的結果
本発明は多数の利益、他の実施形態、及び派生的結果を有する。例えば、本発明は、優れた布地保護、又は温和な洗浄及び布地の柔軟性の組み合わせを供給すること、並びに羊毛、絹、繊細な色、及び／又は弾性合成繊維、単繊維、もしくは編み糸から作られるか又はこれらを有するような布地を、手又は洗濯機で扱うのに好適な布地修復技術と有効な洗浄とを組み合わせることに特に有効である。
【０１４３】
本発明の物品は、発泡又は「ムース」信号システムがあってもなくても用いることができ、別々の組成物は色付き、無色、不透明、真珠光沢、乳白光を発する、透明又は半透明であることができる。
【０１４４】
本物品の異なる組成物に含有される技術の違いを、その外観の型の違いを強調することにより伝達することは多くの場合望ましいとされ、例えば、クリーム状の化粧水のような組成物で、例えば、布地保護活性物質を有するものが一つの区画に用いられ、その一方で、半透明の色付きの、例えば、青、赤、緑、黄色の形態のものが、物品の別の区画の中に組み入れられる布地洗浄組成物として用いられる可能性がある。消費者が容易に認識できるように、多様な視覚的標識を各々の組成物に関連させてもよい。
【０１４５】
本発明について好ましい実施形態及び実施例を参照して詳細に記載したが、本発明の範囲内から逸脱することなく、多様な変更及び修正をし得ることは当業者にとって明白であり、本発明は本明細書に記載されているものに制限されると考慮すべきではない。
【国際公開パンフレット】
2004509218.tif 000035
2004509218.tif 000036
2004509218.tif 000037
2004509218.tif 000038
2004509218.tif 000039
2004509218.tif 000040
2004509218.tif 000041
2004509218.tif 000042
2004509218.tif 000043
2004509218.tif 000044
2004509218.tif 000045
2004509218.tif 000046
2004509218.tif 000047
2004509218.tif 000048
2004509218.tif 000049
2004509218.tif 000050
2004509218.tif 000051
2004509218.tif 000052
2004509218.tif 000053
2004509218.tif 000054
2004509218.tif 000055
2004509218.tif 000056
2004509218.tif 000057
2004509218.tif 000058
2004509218.tif 000059
2004509218.tif 000060
2004509218.tif 000061
2004509218.tif 000062
2004509218.tif 000063
2004509218.tif 000064
2004509218.tif 000065
2004509218.tif 000066
2004509218.tif 000067
2004509218.tif 000068
2004509218.tif 000069
2004509218.tif 000070
2004509218.tif 000071
2004509218.tif 000072
2004509218.tif 000073
2004509218.tif 000074
2004509218.tif 000075
2004509218.tif 000076
2004509218.tif 000077
2004509218.tif 000078
2004509218.tif 000079
2004509218.tif 000080
2004509218.tif 000081
2004509218.tif 000082
2004509218.tif 000083
2004509218.tif 000084
2004509218.tif 000085
2004509218.tif 000086
2004509218.tif 000087
2004509218.tif 000088
2004509218.tif 000089
2004509218.tif 000090
2004509218.tif 000091
2004509218.tif 000092
2004509218.tif 000093
2004509218.tif 000094
2004509218.tif 000095
2004509218.tif 000096
2004509218.tif 000097
2004509218.tif 000098
2004509218.tif 000099
2004509218.tif 000100
2004509218.tif 000101
【国際調査報告】
2004509218.tif 000102
2004509218.tif 000103
2004509218.tif 000104